(57)【要約】  従来の壁面構築方法および壁面構造では、壁面の構築作業に多大な手間がかかり、作業効率が良くなかった。本発明では、一段目の各パネル１Ａ１に備えられた第１の係合部材２ａ，２ａは、側方に突出した端部が側方に積み上げられる二段目のパネル１Ａ２１のパネル本体１ａの背面に当接して、積み上げられる二段目のパネル１Ａ２１の背面側へ倒れる力を支える。また、二段目のパネル１Ａ２１に備えられた第２の係合部材３ａ，３ａは、下方に突出した端部が既に積まれた下方の一段目のパネル１Ｂのパネル本体１ｂの背面に当接して、下端が前面側へ迫り出すのを抑える。従って、二段目のパネル１Ａ２１は、積み上げられる際に、第１の係合部材２ａ，２ａと第２の係合部材３ａ，３ａとにより、下方の一段目のパネル１Ｂのパネル本体１ｂと側端が揃えられて、上端が低い一段目のパネル１Ｂ上に載置される。
2014024269.tif 000002
【特許請求の範囲】
【請求項１】
上端の高さを交互に異ならせ複数横方向に並べられた各パネル本体のうちの上端が低い各前記パネル本体に次段のパネル本体を側端を揃えて積み上げ、積み上げた前記次段のパネル本体の上端を側方の前記パネル本体の上端よりも高くすることで、前記パネル本体を所定の高さまで積み上げて壁面を構築する壁面構築方法において、
各前記パネル本体は、上方または側方に突出した端部が上方または側方に積み上げられる前記パネル本体の一面に当接して積み上げられる前記パネル本体の一面側へ倒れる力を支える第１の係合部材と、下方または側方に突出した端部が既に積まれた下方または側方の前記パネル本体の一面に当接して下端が他面側へ迫り出すのを抑える第２の係合部材とを備え、積み上げられる際に、前記第１の係合部材と前記第２の係合部材とによって下方の前記パネル本体と側端が揃えられて上端が低い前記パネル本体上に載置されることを特徴とする壁面構築方法。
【請求項２】
上端の高さを交互に異ならせ複数横方向に並べられた各パネル本体のうちの上端が低い各前記パネル本体に次段のパネル本体を側端を揃えて積み上げ、積み上げた前記次段のパネル本体の上端を側方の前記パネル本体の上端よりも高くすることで、前記パネル本体を所定の高さまで積み上げて壁面を構築する壁面構築方法において、
各前記パネル本体は、側方に突出した端部が側方に積み上げられる前記パネル本体の一面に当接して積み上げられる前記パネル本体の一面側へ倒れる力を支える係合部材を備え、既に積まれた下方の前記パネル本体の上端と係合して下端が他面側へ迫り出すのを抑える係合部が下端または上端に設けられ、積み上げられる際に、前記係合部材と前記係合部とによって下方の前記パネル本体と側端が揃えられて上端が低い前記パネル本体上に載置されることを特徴とする壁面構築方法。
【請求項３】
複数のパネル本体が横方向において上端の高さが交互に異なって並べられ、縦方向において側端が揃えられて所定高さに積み上げられて構成されている壁面構造において、
各前記パネル本体は、上方または側方に突出した端部が上方または側方の前記パネル本体の一面に当接して上方または側方の前記パネル本体の一面側へ倒れる力を支える第１の係合部材と、下方または側方に突出した端部が下方または側方の前記パネル本体の一面に当接して下端が他面側へ迫り出すのを抑える第２の係合部材とを備え、前記第１の係合部材と前記第２の係合部材とによって下方の前記パネル本体と側端が揃えられて上端が低い前記パネル本体上に載置されていることを特徴とする壁面構造。
【請求項４】
複数のパネル本体が横方向において上端の高さが交互に異なって並べられ、縦方向において側端が揃えられて所定高さに積み上げられて構成されている壁面構造において、
各前記パネル本体は、側方に突出した端部が側方の前記パネル本体の一面に当接して側方の前記パネル本体の一面側へ倒れる力を支える係合部材を備え、下方の前記パネル本体の上端と係合して下端が他面側へ迫り出すのを抑える係合部が下端または上端に設けられ、前記係合部材と前記係合部とによって下方の前記パネル本体と側端が揃えられて上端が低い前記パネル本体上に載置されていることを特徴とする壁面構造。
【請求項５】
側方に突出した前記端部を有する前記係合部材は、着脱自在にまたは前記端部が回動自在に前記パネル本体に取り付けられていることを特徴とする請求項１もしくは請求項２に記載の壁面構築方法または請求項３もしくは請求項４に記載の壁面構造。
【請求項６】
前記係合部材は、当接する前記パネル本体と所定の間隔があくように前記端部が設けられていることを特徴とする請求項１もしくは請求項２もしくは請求項５に記載の壁面構築方法または請求項３から請求項５のいずれか１項に記載の壁面構造。
【請求項７】
前記係合部材は、前記パネル本体に取り付けられる取付面と取り付けられる前記パネル本体との間に前記所定の間隔を調整する調整材が介挿されて、前記パネル本体に着脱自在に取り付けられていることを特徴とする請求項６に記載の壁面構築方法または壁面構造。
【請求項８】
前記係合部材は、当接する前記パネル本体側に出し入れ自在な調整治具を介して前記端部が前記パネル本体に当接していることを特徴とする請求項６または請求項７に記載の壁面構築方法または壁面構造。
【請求項９】
前記係合部材は、前記端部と前記パネル本体との間に支持治具が挿し込まれてまたは挟み込まれて前記端部が前記パネル本体に当接していることを特徴とする請求項６または請求項７に記載の壁面構築方法または壁面構造。
【請求項１０】
前記係合部材は、前記パネル本体との取付箇所よりも前記端部の反対側に離れた一端に、前記パネル本体の一面に当接する支点が設けられていることを特徴とする請求項６から請求項９のいずれか１項に記載の壁面構築方法または壁面構造。
【請求項１１】
前記パネル本体が他面側へ倒れるのを防止する転倒防止部材を備えていることを特徴とする請求項１から請求項１０のいずれか１項に記載の壁面構築方法または壁面構造。
【発明の詳細な説明】
【技術分野】
【０００１】
本発明は、複数のパネル本体が横方向において上端の高さが交互に異なって並べられ、縦方向において側端が揃えられて所定高さに積み上げられて構成される壁面の壁面構築方法および壁面構造に関するものである。
【背景技術】
【０００２】
従来、この種の壁面構築方法および壁面構造としては、例えば、特許文献１に開示されたコンクリートパネル壁面材の組立に関するものがある。【０００３】
このコンクリートパネル壁面材の組立においては、コンクリートパネルが水平方向に千鳥状に組み立てられ、コンクリートパネルの複数のパネル本体が横方向において上端の高さが交互に異なって並べられる。水平方向に並べられた最下段の各パネルは、それらの間の横方向に水平に添接板が取り付けられて、固定される。また、上端の高さが低いパネルの上端角部と、上端の高さが高い隣のパネルとは、それらの間に斜めに添接板が取り付けられて、固定される。各添接板にはボルト挿通穴が形成されており、ボルトがこのボルト挿通穴およびコンクリートパネルのボルト挿通穴に添接板側から挿通され、反対側にてナットと螺合されることで、各パネル間が固定される。【０００４】
斜めに取り付けられた添接板にあっては、その中央部がパネルよりやや浮き出した状態になっている。新たに組み込まれるパネルは、この部位にそのコーナー部が当接されて位置決めされ、既に固定されている隣のパネルとの間で添接板が斜めに取り付けられることで、固定される。そして、コンクリートパネルは、縦方向において側端がいも積み状に揃えられて所定高さに積み上げられ、盛土中に埋設される盛土補強部材がその一面側に引っ掛けられて、その一面側に土が盛られる。
【先行技術文献】
【特許文献】
【０００５】
【特許文献１】特開２００５−１１３５４３号公報
【発明の概要】
【発明が解決しようとする課題】
【０００６】
しかしながら、上記従来の特許文献１に開示された壁面構築方法および壁面構造では、コンクリートパネルを積み上げて壁面を構築する際、添接板およびコンクリートパネルの各ボルト挿通穴に添接板側からボルトを挿通し、反対側にてナットと螺合して各パネルを締結させる作業が必要とされる。この作業は、１枚の添接板当たり２箇所に必要とされ、しかも、上方のパネルを下方のパネルに載置した状態を保って行う必要がある。このため、このような添接板を多数用いる従来の壁面構築方法および壁面構造では、壁面の構築作業に多大な手間がかかり、作業効率が良くなかった。【０００７】
また、各パネルどうしはボルトで固く剛結されて一体化されるので、柔軟性に劣る。このため、上記従来の壁面構築方法および壁面構造によって構築される壁面が、補強土工法等のフレキシブルな構造体の壁面に使用される場合、パネルの背後にある盛土等が変形したり沈下してパネル背面に荷重が偏ってかかると、ボルトで固く互いに剛結されているパネルはこれらに追従して動くことができない。この結果、壁面を構成する一部のパネルに大きな荷重が局所的にかかり、パネルが破損する場合がある。
【課題を解決するための手段】
【０００８】
本発明はこのような課題を解決するためになされたもので、
上端の高さを交互に異ならせ複数横方向に並べられた各パネル本体のうちの上端が低い各パネル本体に次段のパネル本体を側端を揃えて積み上げ、積み上げた次段のパネル本体の上端を側方のパネル本体の上端よりも高くすることで、パネル本体を所定の高さまで積み上げて壁面を構築する壁面構築方法において、
各パネル本体が、上方または側方に突出した端部が上方または側方に積み上げられるパネル本体の一面に当接して積み上げられるパネル本体の一面側へ倒れる力を支える第１の係合部材と、下方または側方に突出した端部が既に積まれた下方または側方のパネル本体の一面に当接して下端が他面側へ迫り出すのを抑える第２の係合部材とを備え、積み上げられる際に、第１の係合部材と第２の係合部材とによって下方のパネル本体と側端が揃えられて上端が低いパネル本体上に載置されることを特徴とする。【０００９】
また、本発明は、
複数のパネル本体が横方向において上端の高さが交互に異なって並べられ、縦方向において側端が揃えられて所定高さに積み上げられて構成されている壁面構造において、
各パネル本体が、上方または側方に突出した端部が上方または側方のパネル本体の一面に当接して上方または側方のパネル本体の一面側へ倒れる力を支える第１の係合部材と、下方または側方に突出した端部が下方または側方のパネル本体の一面に当接して下端が他面側へ迫り出すのを抑える第２の係合部材とを備え、第１の係合部材と第２の係合部材とによって下方のパネル本体と側端が揃えられて上端が低いパネル本体上に載置されていることを特徴とする。【００１０】
これらの構成によれば、各パネル本体は、上端が低いパネル本体に側端を揃えて積み上げられる際、下方または側方に隣接するパネル本体に備えられた第１の係合部材の上方または側方に突出した端部にパネル本体の一面が当接して、パネル本体の一面側へ倒れる力が支えられると共に、自身に備えられた第２の係合部材の下方または側方に突出した端部が下方または側方に隣接するパネル本体の一面に当接して、パネル本体の下端が他面側へ迫り出すのが抑えられて、上端が低いパネル本体上に載置される。【００１１】
従って、次段のパネル本体を側端を揃えて上端が低い下方のパネル本体上に単に載置することで、パネル本体を垂直にまたは一面側に傾斜させて積み上げることが可能となる。このため、従来行われた、隣接する各パネルをボルトおよびナットで締結させる多大な手間の掛かる作業を行うこと無く、パネル本体を積み上げられるため、壁面の構築作業の作業効率は著しく向上する。【００１２】
また、各パネル本体はボルト等で剛結されて一体化される構成ではないため、補強土工法等のフレキシブルな構造体の壁面に使用される場合、パネル本体の背後にある盛土等が沈下したり変形しても、パネル本体はその沈下や変形に追従して動くことが可能である。従って、パネルどうしをボルト等で剛結させて一体化する従来の壁面のように、パネルの背後にある盛土等が沈下したり変形することで、壁面を構成する一部のパネルに大きな荷重が局所的にかかり、パネルが破損することもない。このため、フレキシブルで耐久性が増した壁面を構築できる壁面構築方法および壁面構造が提供される。【００１３】
また、本発明は、
上端の高さを交互に異ならせ複数横方向に並べられた各パネル本体のうちの上端が低い各パネル本体に次段のパネル本体を側端を揃えて積み上げ、積み上げた次段のパネル本体の上端を側方のパネル本体の上端よりも高くすることで、パネル本体を所定の高さまで積み上げて壁面を構築する壁面構築方法において、
各パネル本体が、側方に突出した端部が側方に積み上げられるパネル本体の一面に当接して積み上げられるパネル本体の一面側へ倒れる力を支える係合部材を備え、既に積まれた下方のパネル本体の上端と係合して下端が他面側へ迫り出すのを抑える係合部が下端または上端に設けられ、積み上げられる際に、係合部材と係合部とによって下方のパネル本体と側端が揃えられて上端が低いパネル本体上に載置されることを特徴とする。【００１４】
また、本発明は、
複数のパネル本体が横方向において上端の高さが交互に異なって並べられ、縦方向において側端が揃えられて所定高さに積み上げられて構成されている壁面構造において、
各パネル本体が、側方に突出した端部が側方のパネル本体の一面に当接して側方のパネル本体の一面側へ倒れる力を支える係合部材を備え、下方のパネル本体の上端と係合して下端が他面側へ迫り出すのを抑える係合部が下端または上端に設けられ、係合部材と係合部とによって下方のパネル本体と側端が揃えられて上端が低いパネル本体上に載置されていることを特徴とする。【００１５】
これらの構成によれば、各パネル本体は、上端が低いパネル本体に側端を揃えて積み上げられる際、側方に隣接するパネル本体に備えられた係合部材の側方に突出した端部にパネル本体の一面が当接して、パネル本体の一面側へ倒れる力が支えられると共に、自身の下端に設けられた係合部または下方のパネル本体の上端に設けられた係合部によって下方のパネル本体の上端と係合して、パネル本体の下端が他面側へ迫り出すのが抑えられて、上端が低いパネル本体上に載置される。【００１６】
従って、これらの構成によっても、次段のパネル本体を側端を揃えて上端が低い下方のパネル本体上に単に載置することで、パネル本体を垂直にまたは一面側に傾斜させて積み上げることが可能となり、従来行われた、隣接する各パネルをボルトおよびナットで締結させる多大な手間の掛かる作業を行う必要がなくなって、壁面の構築作業の作業効率は著しく向上する。【００１７】
また、これらの構成においても、各パネル本体はボルト等で剛結されて一体化される構成ではない。このため、これらの構成によっても、補強土工法等のフレキシブルな構造体の壁面に使用される場合、パネル本体は盛土等の沈下や変形に追従して動くことが可能であり、フレキシブルで耐久性が増した壁面を構築できる壁面構築方法および壁面構造が提供される。【００１８】
また、本発明は、側方に突出した端部を有する係合部材が、着脱自在にまたは端部が回動自在にパネル本体に取り付けられていることを特徴とする。【００１９】
この構成によれば、次段のパネル本体を上端が低い下方のパネル本体とパネル面を平行にして積む場合、次段のパネル本体に側方に突出して備えられた係合部材をパネル本体から取り外す、もしくは、その端部を回動して側方から突出させないことで、次段のパネル本体に備えられた係合部材が、次段のパネル本体の設置位置側方に既に載置されているパネル本体の側方から突出する係合部材と干渉すること無く、次段のパネル本体を側端を揃えて上端が低い下方のパネル本体上に載置することができる。または、次段のパネル本体の設置位置側方に既に載置されているパネル本体の側方から突出する係合部材をパネル本体から取り外す、もしくは、その端部を回動して側方から突出させないことで、次段のパネル本体に側方に突出して備えられた係合部材が、次段のパネル本体の設置位置側方に既に載置されているパネル本体に備えられた係合部材と干渉すること無く、次段のパネル本体を側端を揃えて上端が低い下方のパネル本体上に載置することができる。また、次段のパネル本体をパネル面を垂直にしてパネル面が傾いた下方のパネル本体の上端に乗せた後、一面側に傾けて積む場合、次段のパネル本体に側方に突出して備えられた係合部材をパネル本体から取り外す、もしくは、その端部を回動して側方から突出させないことで、次段のパネル本体に備えられた係合部材が、次段のパネル本体の設置位置側方に既に載置されているパネル本体と干渉すること無く、次段のパネル本体を側端を揃えて上端が低い下方のパネル本体上に載置することができる。取り外した、もしくは、端部を回動させた係合部材は、他の係合部材または既に載置されているパネル本体と干渉しなくなった後、パネル本体に取り付けられる、もしくは、端部が元の位置に回動させられる。【００２０】
また、本発明は、係合部材が、当接するパネル本体と所定の間隔があくように端部が設けられていることを特徴とする。【００２１】
この構成によれば、次段のパネル本体を側端を揃えて上端が低い下方のパネル本体上に載置する際、係合部材の端部とこれに当接するパネル本体との間に隙間が確保されるので、次段のパネル本体は、係合部材の端部がこれに当接するパネル本体と干渉することは無い。このため、特に、次段のパネル本体を上端が低い下方のパネル本体とパネル面を平行にして積む場合、次段のパネル本体を下方のパネル本体上にスムーズに移動させることができ、壁面の構築作業の作業効率はさらに向上する。【００２２】
また、本発明は、係合部材が、パネル本体に取り付けられる取付面と取り付けられるパネル本体との間に所定の間隔を調整する調整材が介挿されて、パネル本体に着脱自在に取り付けられていることを特徴とする。【００２３】
この構成によれば、係合部材のパネル本体に取り付けられる取付面と係合部材が取り付けられるパネル本体との間に介挿される調整材の厚さが選択されることで、係合部材の端部とこれに当接するパネル本体との間にあく所定の間隔が、係合部材の端部とこれに当接するパネル本体とが干渉すること無く、かつ、積み上げ作業の行いやすい間隔に、調整される。【００２４】
また、本発明は、係合部材が、当接するパネル本体側に出し入れ自在な調整治具を介して端部がパネル本体に当接していることを特徴とする。【００２５】
この構成によれば、当接するパネル本体側に調整治具が突出しないようにその出し入れを調整することで、係合部材の端部とこれに当接するパネル本体との間に所定の間隔を確保して、次段のパネル本体を側端を揃えて上端が低い下方のパネル本体上にスムーズに載置することができる。そして、パネル本体の載置後、当接するパネル本体側に調整治具が突出するようにその出し入れを調整することで、係合部材の端部を調整治具を介してパネル本体に当接させることができる。【００２６】
また、本発明は、係合部材が、端部とパネル本体との間に支持治具が挿し込まれてまたは挟み込まれて端部がパネル本体に当接していることを特徴とする。【００２７】
この構成によれば、パネル本体の載置後、端部とパネル本体との間に支持治具を挿し込みまたは挟み込み、係合部材の端部を支持治具を介してパネル本体に当接させることで、係合部材の端部とこれに当接するパネル本体との間に所定の間隔を確保して、次段のパネル本体を側端を揃えて上端が低い下方のパネル本体上にスムーズに載置することができる。【００２８】
また、本発明は、係合部材が、パネル本体との取付箇所よりも端部の反対側に離れた一端に、パネル本体の一面に当接する支点が設けられていることを特徴とする。【００２９】
この構成によれば、パネル本体の他面側から荷重がかかり、パネル本体の一面側へ倒れる力を支える係合部材の端部側に負荷がかかっても、また、パネル本体の下端が他面側へ迫り出す荷重がかかり、その迫り出しを抑える係合部材の端部側に負荷がかかっても、係合部材の一端に設けられた支点が取付箇所を挟む反対側でパネル本体の一面に当接することにより、この負荷がパネル本体の一面に当接する支点でも受けられる。このため、係合部材の端部側にかかる負荷は、係合部材の取付箇所と係合部材の一端に設けられた支点とで支えられ、取付箇所のみで係合部材が固定されている場合に比べて、係合部材はぐらつくことなく確実にパネル本体に固定される。【００３０】
また、本発明は、パネル本体が他面側へ倒れるのを防止する転倒防止部材を備えていることを特徴とする。【００３１】
この構成によれば、上端が低い下方のパネル本体上に側端が揃えられて載置される次段のパネル本体は、転倒防止部材によって他面側へ倒れるのが防止される。このため、パネルを垂直に積み上げる場合や、パネルの自重が軽くてパネルの傾きを保てない場合であっても、パネル本体が他面側へ倒れることなくパネル本体を積み上げられる。また、より多くのパネル本体を確実かつ安全に複数段一度に積み上げられる。この結果、パネル本体の積み上げ作業の作業効率および積み上げ作業における安全性は向上する。
【発明の効果】
【００３２】
本発明によれば、上記のように、次段のパネル本体を側端を揃えて上端が低い下方のパネル本体上に単に載置することで、パネル本体を垂直にまたは一面側に傾斜させて積み上げることが可能となり、従来行われた、隣接する各パネルをボルトおよびナットで締結させる多大な手間の掛かる作業を行う必要がなくなって、壁面の構築作業の作業効率は著しく向上する。また、各パネル本体はボルト等で剛結されて一体化される構成ではないため、柔軟性が必要とされる補強土工法等の壁面に使用する場合、パネル本体は盛土等の沈下や変形に追従して動くことが可能であり、フレキシブルで耐久性が増した壁面を構築できる壁面構築方法および壁面構造が提供される。
【図面の簡単な説明】
【００３３】
【図１】（ａ）、（ｂ）、（ｃ）および（ｄ）は、本発明の第１の実施の形態による壁面構築方法によって構築される壁面構造を構成するパネルの正面図、側面図、背面図および平面図である。
【図２】図１に示すパネルを第１の実施形態の壁面構築方法によって複数段積み上げて構築して行く過程における壁面構造の背面図である。
【図３】図１に示すパネルを第１の実施形態の壁面構築方法によって斜めに複数段積み上げて構築して行く過程における壁面構造の背面斜視図である。
【図４】（ａ）、（ｂ）、（ｃ）および（ｄ）は、第１の実施形態の第１変形例による壁面構築方法によって構築される壁面構造を構成するパネルの正面図、側面図、背面図および平面図である。
【図５】図４に示すパネルを第１の実施形態の第１変形例の壁面構築方法によって複数段積み上げて構築して行く過程における壁面構造の背面図である。
【図６】（ａ）、（ｂ）、（ｃ）および（ｄ）は、第１の実施形態の第２変形例による壁面構築方法によって構築される壁面構造を構成するパネルの正面図、側面図、背面図および平面図である。
【図７】図６に示すパネルを第１の実施形態の第２変形例の壁面構築方法によって複数段積み上げて構築して行く過程における壁面構造の背面図である。
【図８】（ａ）、（ｂ）、（ｃ）および（ｄ）は、第１の実施形態の第３変形例による壁面構築方法によって構築される壁面構造を構成するパネルの側面図、背面図、正面図および平面図である。
【図９】図８に示すパネルを第１の実施形態の第３変形例の壁面構築方法によって複数段積み上げて構築して行く過程における壁面構造の背面図である。
【図１０】（ａ）、（ｂ）、（ｃ）および（ｄ）は、本発明の第２の実施の形態による壁面構築方法によって構築される壁面構造を構成するパネルの正面図、側面図、背面図および平面図である。
【図１１】図１０に示すパネルを第２の実施形態の壁面構築方法によって複数段積み上げて構築して行く過程における壁面構造の背面図である。
【図１２】（ａ）、（ｂ）、（ｃ）および（ｄ）は、第２の実施形態の第１変形例による壁面構築方法によって構築される壁面構造を構成するパネルの正面図、側面図、背面図および平面図である。
【図１３】図１２に示すパネルを第２の実施形態の第１変形例の壁面構築方法によって複数段積み上げて構築して行く過程における壁面構造の背面図である。
【図１４】（ａ）、（ｂ）、（ｃ）および（ｄ）は、第２の実施形態の第２変形例による壁面構築方法によって構築される壁面構造を構成するパネルの正面図、側面図、背面図および平面図である。
【図１５】図１４に示すパネルを第２の実施形態の第２変形例の壁面構築方法によって複数段積み上げて構築して行く過程における壁面構造の背面図である。
【図１６】（ａ）、（ｂ）、（ｃ）および（ｄ）は、第２の実施形態の第３変形例による壁面構築方法によって構築される壁面構造を構成するパネルの側面図、背面図、正面図および平面図である。
【図１７】図１６に示すパネルを第２の実施形態の第３変形例の壁面構築方法によって複数段積み上げて構築して行く過程における壁面構造の背面図である。
【図１８】（ａ）、（ｂ）、（ｃ）および（ｄ）は、本発明の第３の実施の形態による壁面構築方法によって構築される壁面構造を構成するパネルの正面図、側面図、背面図および平面図である。
【図１９】図１８に示すパネルを第３の実施形態の壁面構築方法によって複数段積み上げて構築して行く過程における壁面構造の背面図である。
【図２０】図１８に示すパネルを第３の実施形態の壁面構築方法によって斜めに複数段積み上げて構築して行く過程における壁面構造の背面斜視図である。
【図２１】（ａ）、（ｂ）、（ｃ）および（ｄ）は、本発明の第４の実施の形態による壁面構築方法によって構築される壁面構造を構成するパネルの正面図、側面図、背面図および平面図である。
【図２２】図２１に示すパネルを第４の実施形態の壁面構築方法によって複数段積み上げて構築して行く過程における壁面構造の背面図である。
【図２３】（ａ）、（ｂ）、（ｃ）および（ｄ）は、第４の実施形態の第１変形例による壁面構築方法によって構築される壁面構造を構成するパネルの正面図、側面図、背面図および平面図である。
【図２４】図２３に示すパネルを第４の実施形態の第１変形例の壁面構築方法によって複数段積み上げて構築して行く過程における壁面構造の背面図である。
【図２５】（ａ）、（ｂ）、（ｃ）および（ｄ）は、第２の実施形態の第４変形例による壁面構築方法によって構築される壁面構造を構成するパネルの正面図、側面図、背面図および平面図である。
【図２６】図２５に示すパネルを第２の実施形態の第４変形例の壁面構築方法によって複数段積み上げて構築して行く過程における壁面構造の背面図である。
【図２７】第１の実施形態による壁面構築方法および壁面構造を盛土補強土壁に適用した第１の実施形態の第４変形例を示す壁面構造の側断面図である。
【図２８】図２７に示す壁面構造の背面図である。
【図２９】第１の実施形態による壁面構築方法および壁面構造を砂防ダムの壁面に適用した第１の実施形態の第５変形例を示す壁面構造の側断面図である。
【図３０】図２９に示す壁面構造の背面図である。
【図３１】第１の実施形態による壁面構築方法および壁面構造を両面仕様のコンクリート構造物の壁面に適用した第１の実施形態の第６変形例を示す壁面構造の側断面図である。
【図３２】第１の実施形態による壁面構築方法および壁面構造を老朽化した構造物の表面を補修する壁面に適用した第１の実施形態の第７変形例を示す壁面構造の側断面図である。
【発明を実施するための形態】
【００３４】
次に、本発明による壁面構築方法および壁面構造の第１の実施形態について説明する。
【００３５】
図１（ａ）、（ｂ）、（ｃ）および（ｄ）は、第１の実施形態による壁面構築方法によって構築される壁面構造を構成するパネル１Ａの正面図、側面図、背面図および平面図である。
【００３６】
パネル１Ａを構成するパネル本体１ａは、方形の板状をした所定の厚さ（３ｃｍ〜１０ｃｍ程度）のコンクリートから成る。この厚さはパネル１Ａの用途によって異なり、この例示以外の厚さのこともある。パネル本体１ａは、その一面側の背面に、一対の第１の係合部材２ａ，２ａと一対の第２の係合部材３ａ，３ａとを備える。第１の係合部材２ａ，２ａおよび第２の係合部材３ａ，３ａは、それぞれ、長方形状の金属製板材の短辺方向が垂直に折り曲げ加工されて形成された断面Ｌ字形状の鋼材から成る。第１の係合部材２ａ，２ａは、一方の各端部がそれぞれパネル本体１ａの側端上方において左側方，右側方に突出し、第２の係合部材３ａ，３ａは、一方の各端部がそれぞれ下方に突出している。
【００３７】
また、第１の係合部材２ａ，２ａおよび第２の係合部材３ａ，３ａは、その他方の各端部に穴があけられている。アンカーボルト４は、これら各穴に差し込まれて、その先端がパネル本体１ａの背面に埋め込まれたインサートナット５に螺合している。この状態でナット６が締め付けられることにより、第１の係合部材２ａ，２ａおよび第２の係合部材３ａ，３ａは、その他方の各端部がパネル本体１ａの背面に固定されている。従って、側方に突出した端部を有する第１の係合部材２ａ，２ａは、着脱自在に、かつ、端部が回動自在に、パネル本体１ａに取り付けられている。また、各アンカーボルト４はパネル本体１ａの背面にその頭部が突出して立設されている。アンカーボルト４のパネル本体１ａの背面からの突出高さは、アンカーボルト４自体の長さを調節することで、設定される。
【００３８】
図２は、図１に示すパネル１Ａを本実施形態の壁面構築方法によって複数段積み上げて構築して行く過程における壁面構造の背面図である。なお、同図において図１と同一部分には同一符号を付してその説明は省略する。
【００３９】
壁面は、各パネル１Ａの側端が上段と下段とで揃えられるイモ積み方式で、垂直または斜めに各パネル１Ａが複数段積み上げられて、構築される。構築されると、壁面を構成する各パネル本体１ａの他面側の前面は面一になる。
【００４０】
図３は、斜めに各パネル１Ａを複数段積み上げて構築して行く過程における壁面構造の背面斜視図である。なお、同図において図２と同一部分には同一符号を付してその説明は省略する。
【００４１】
最下段には半物サイズのパネル１Ｂが使われている。このパネル１Ｂは、図１に示すパネル１Ａのパネル本体１ａが第１の係合部材２ａ，２ａを備える上半分にされたパネル本体１ｂから成り（図２参照）、パネル本体１ｂの高さがパネル本体１ａの高さの半分にされて、第２の係合部材３ａ，３ａを備えていない。また、最下段のパネル１Ａ１は、端部が下方に突出する第２の係合部材３ａ，３ａを備えておらず、第２の係合部材３ａ，３ａを取り付けるためのアンカーボルト４のみが、パネル本体１ａの背面に埋め込まれたインサートナット５に螺合して、パネル本体１ａの背面から突出している。また、半物サイズのパネル１Ｂにも、側方の最下段のパネル１Ａ１と対応する高さ位置において、アンカーボルト４がパネル本体１ｂの背面に埋め込まれたインサートナット５に螺合して、パネル本体１ｂの背面から突出している。
【００４２】
壁面の構築に際し、最初に、最下段のパネル１Ａ１およびパネル１Ｂが、上端の高さを交互に異ならせて、砕石１１上の基礎１２上に複数横方向に揃えて並べられ、支保工などによって仮固定される。次に、最下段のパネル１Ａ１およびパネル１Ｂの背面側に、低い各パネル１Ｂの上端付近の高さＡ（図３参照）まで、コンクリート１３が打設される。打設されたこのコンクリート１３が硬化することにより、各パネル本体１ａ，１ｂの背面から突出するアンカーボルト４がアンカーとなって、最下段のパネル１Ａ１およびパネル１Ｂが固定されて動かなくなる。
【００４３】
次に、上端の高さを交互に異ならせて複数横方向に並べられた最下段の一段目の各パネル１Ａ１，１Ｂのうちの、上端が低い各パネル１Ｂに二段目のパネル１Ａ２１が一段目のパネル１Ｂと側端を揃えて積み上げられ、積み上げられた二段目のパネル１Ａ２１の上端が側方の一段目のパネル１Ａ１の上端よりも高くされる。このパネル本体１ａの積み上げは、壁面を垂直に構築する場合には、二段目のパネル１Ａ２１のパネル本体１ａを垂直に吊り上げ、上端が低い下方のパネル１Ｂの垂直に立つパネル本体１ｂとパネル面を平行にして積むことで、行われる。また、壁面を斜めに構築する場合には、二段目のパネル１Ａ２１のパネル本体１ａを斜めに吊り上げ、上端が低い下方のパネル１Ｂの斜めに傾くパネル本体１ｂとパネル面を平行にして積むか、もしくは、二段目のパネル１Ａ２１のパネル本体１ａをパネル面を垂直にして、パネル面が傾いた下方のパネル１Ｂのパネル本体１ｂの上端に乗せた後、背面側に傾けて積むことで、行われる。
【００４４】
この際、一段目の各パネル１Ａ１に備えられた第１の係合部材２ａ，２ａは、側方に突出した端部が側方に積み上げられる二段目のパネル１Ａ２１のパネル本体１ａの背面に当接して、積み上げられる二段目のパネル１Ａ２１の背面側へ倒れる力を支える。また、二段目のパネル１Ａ２１に備えられた第２の係合部材３ａ，３ａは、下方に突出した端部が既に積まれた下方の一段目のパネル１Ｂのパネル本体１ｂの背面に当接して、下端が前面側へ迫り出すのを抑える。従って、二段目のパネル１Ａ２１は、積み上げられる際に、第１の係合部材２ａ，２ａと第２の係合部材３ａ，３ａとにより、下方の一段目のパネル１Ｂのパネル本体１ｂと側端が揃えられて、上端が低い一段目のパネル１Ｂ上に載置される。
【００４５】
その後、各パネル１Ａ１，１Ａ２１の背面側に、上端が低い一段目の各パネル１Ａ１の上端付近の高さＢ（図３参照）まで、コンクリート１３が打設される。打設されたこのコンクリート１３が硬化することにより、各パネル本体１ａの背面から突出するアンカーボルト４がアンカーとなって、二段目の各パネル１Ａ２１が固定されて動かなくなる。
【００４６】
次に、上端の高さを交互に異ならせて複数横方向に並べられた一段目および二段目の各パネル１Ａ１，１Ａ２１のうちの、上端が低い一段目の各パネル１Ａ１に二段目のパネル１Ａ２２が一段目のパネル１Ａ１と側端を揃えて積み上げられ、積み上げられた二段目のパネル１Ａ２２の上端が二段目の側方のパネル１Ａ２１の上端よりも高くされる。このときも、パネル本体１ａの積み上げは、壁面を垂直に構築する場合には、二段目のパネル１Ａ２２のパネル本体１ａを垂直に吊り上げ、上端が低い下方のパネル１Ａ１の垂直に立つパネル本体１ａとパネル面を平行にして積むことで、行われる。また、壁面を斜めに構築する場合には、二段目のパネル１Ａ２２のパネル本体１ａを斜めに吊り上げ、上端が低い下方のパネル１Ａ１の斜めに傾くパネル本体１ａとパネル面を平行にして積むか、もしくは、二段目のパネル１Ａ２２のパネル本体１ａをパネル面を垂直にして、パネル面が傾いた下方のパネル１Ａ１のパネル本体１ａの上端に乗せた後、背面側に傾けて積むことで、行われる。
【００４７】
この際、二段目の各パネル１Ａ２１に備えられた第１の係合部材２ａ，２ａは、側方に突出した端部が側方に積み上げられる二段目のパネル１Ａ２２のパネル本体１ａの背面に当接して、積み上げられる二段目のパネル１Ａ２２の背面側へ倒れる力を支える。また、二段目のパネル１Ａ２２に備えられた第２の係合部材３ａ，３ａは、下方に突出した端部が既に積まれた下方の一段目のパネル１Ａ１のパネル本体１ａの背面に当接して、下端が前面側へ迫り出すのを抑える。従って、二段目のパネル１Ａ２２は、積み上げられる際に、第１の係合部材２ａ，２ａと第２の係合部材３ａ，３ａとにより、下方の一段目のパネル１Ａ１のパネル本体１ａと側端が揃えられて、上端が低い一段目のパネル１Ａ１上に載置される。
【００４８】
その後、各パネル１Ａ２１，１Ａ２２の背面側に、上端が低い二段目の各パネル１Ａ２１の上端付近の高さＣ（図３参照）まで、コンクリート１３が打設される。打設されたこのコンクリート１３が硬化することにより、各パネル本体１ａの背面から突出するアンカーボルト４がアンカーとなって、二段目の各パネル１Ａ２２が固定されて動かなくなる。
【００４９】
次に、上端の高さを交互に異ならせて複数横方向に並べられた二段目の各パネル１Ａ２１，１Ａ２２のうちの上端が低い各パネル１Ａ２１に、三段目のパネル１Ａ３１が図２に矢示するように二段目のパネル１Ａ２１と側端を揃えて積み上げられ、積み上げられた三段目のパネル１Ａ３１の上端が二段目の側方のパネル１Ａ２２の上端よりも高くされる。その後、各パネル１Ａ２２，１Ａ３１の背面側に、上端が低い二段目の各パネル１Ａ２２の上端付近の高さまで、コンクリート１３が打設され、打設されたこのコンクリート１３が硬化することにより、三段目のパネル１Ａ３１が固定されて動かなくなる。
【００５０】
上記のように各パネル１Ａは、積み上げられるパネル１Ａの高さが所定の高さになるまでイモ積み方式で積み上げられ、上記の作業が繰り返される。パネル１Ａの高さが所定の高さになると、最後に、上端の高さを交互に異ならせて複数横方向に並べられたパネル１Ａのうちの上端が低いパネル１Ａの上に、パネル１Ａのパネル本体１ａが第２の係合部材３ａ，３ａを備える下半分にされた半物サイズのパネルが積み上げられて、壁面の上端が同じ高さに揃えられる。
【００５１】
このような本実施形態による壁面構築方法および壁面構造によれば、各パネル本体１ａは、上端が低いパネル本体１ａに側端を揃えて積み上げられる際、側方に隣接するパネル本体１ａに備えられた第１の係合部材２ａ，２ａの側方に突出した端部にパネル本体１ａの背面が当接して、パネル本体１ａの背面側へ倒れる力が支えられると共に、自身に備えられた第２の係合部材３ａ，３ａの下方に突出した端部が下方に隣接するパネル本体１ａの背面に当接して、パネル本体１ａの下端が前面側へ迫り出すのが抑えられて、上端が低いパネル本体１ａ上に載置される。
【００５２】
従って、次段のパネル本体１ａを側端を揃えて上端が低い下方のパネル本体１ａ上に単に載置することで、パネル本体１ａを垂直にまたは背面側に傾斜させて積み上げることが可能となる。このため、従来行われた、隣接する各パネル１Ａをボルトおよびナットで締結させる多大な手間の掛かる作業を行うこと無く、パネル本体１ａを積み上げられるため、壁面の構築作業の作業効率は著しく向上する。
【００５３】
なお、上記の実施形態において、各パネル１Ａが図３に示す一対の転倒防止部材７を備えているように、構成してもよい。この転倒防止部材７は、第１の係合部材２ａ，２ａおよび第２の係合部材３ａ，３ａと同様な断面Ｌ字形状の鋼材から成り、一方の各端部がそれぞれパネル本体１ａの左側方，右側方に突出し、他方の各端部がパネル本体１ａの背面にボルト８によって固定されている。転倒防止部材７は、各パネル１Ａが積み上げられた後に各パネル１Ａが前面側へ倒れるのを防止する。従って、この構成によれば、上端が低い下方のパネル本体１ａ，１ｂ上に側端が揃えられて載置される次段のパネル本体１ａは、コンクリート１３の硬化によって背面側が固定されるまで、転倒防止部材７によって前面側へ倒れるのが防止される。このため、パネル１Ａを垂直に積み上げる場合や、斜めに積む場合でも、パネル１Ａの自重が軽くて硬化する前のコンクリート１３等による背面側からの側圧に耐えられなくて、パネル１Ａの傾きを保てない場合であっても、パネル本体１ａが前面側へ倒れることなくパネル本体１ａを積み上げられる。また、より多くのパネル本体１ａを確実かつ安全に複数段一度に積み上げられる。この結果、パネル本体１ａの積み上げ作業の作業効率および積み上げ作業における安全性は向上する。
【００５４】
また、上記の実施形態において、壁面を構成するパネル１Ａのパネル本体１ａは長方形状をしている場合について説明したが、図４に示すように、逆凸状をしたパネル本体１ｃから成るパネル１Ｃによって壁面を構成するようにしてもよい。同図（ａ）、（ｂ）、（ｃ）および（ｄ）は、パネル１Ｃの正面図、側面図、背面図および平面図であり、同図において図１と同一部分には同一符号を付してその説明は省略する。
【００５５】
パネル１Ｃは、図１に示すパネル１Ａと比較し、パネル本体１ｃの形状のみが相違し、一方の各端部がそれぞれパネル本体１ｃの側端上方において左側方，右側方に突出する第１の係合部材２ａ，２ａ、および一方の各端部がそれぞれ下方に突出する第２の係合部材３ａ，３ａをパネル１Ａと同様に備える。
【００５６】
図５は、図４に示すパネル１Ｃを第1の実施形態の第１変形例の壁面構築方法によって複数段積み上げて構築して行く過程における壁面構造の背面図である。なお、同図において図４と同一部分には同一符号を付してその説明は省略する。
【００５７】
パネル１Ａを用いた図２に示す壁面と同様、最下段には半物サイズのパネル１Ｄが使われている。このパネル１Ｄは、図４に示すパネル１Ｃのパネル本体１ｃが第１の係合部材２ａ，２ａを備える上半分にされたパネル本体１ｄから成り、パネル本体１ｄの高さがパネル本体１ｃの高さの半分にされて、第２の係合部材３ａ，３ａを備えていない。また、最下段のパネル１Ｃ１は、端部が下方に突出する第２の係合部材３ａ，３ａを備えておらず、第２の係合部材３ａ，３ａを取り付けるためのアンカーボルト４のみが、パネル本体１ｃの背面に埋め込まれたインサートナット５に螺合して、パネル本体１ｃの背面から突出している。また、半物サイズのパネル１Ｄにも、側方の最下段のパネル１Ｃ１と対応する高さ位置において、アンカーボルト４がパネル本体１ｄの背面に埋め込まれたインサートナット５に螺合して、パネル本体１ｄの背面から突出している。
【００５８】
パネル１Ｃも、パネル１Ａと同様に積み上げられる。つまり、最初に、最下段のパネル１Ｃ１およびパネル１Ｄが、上端の高さを交互に異ならせて、基礎１２上に複数横方向に揃えて並べられる。次に、最下段のパネル１Ｃ１およびパネル１Ｄの背面側に、低い各パネル１Ｄの上端付近の高さまでコンクリート１３が打設されて、打設されたコンクリート１３が硬化することにより、最下段のパネル１Ｃ１およびパネル１Ｄが固定されて動かなくなる。
【００５９】
次に、上端の高さを交互に異ならせて複数横方向に並べられた最下段の一段目の各パネル１Ｃ１，１Ｄのうちの、上端が低い各パネル１Ｄに二段目のパネル１Ｃ２１が一段目のパネル１Ｄと側端を揃えて積み上げられ、積み上げられた二段目のパネル１Ｃ２１の上端が側方の一段目のパネル１Ｃ１の上端よりも高くされる。その後、各パネル１Ｃ１，１Ｃ２１の背面側に、上端が低い一段目の各パネル１Ｃ１の上端付近の高さまでコンクリート１３が打設されて、打設されたコンクリート１３が硬化することにより、二段目の各パネル１Ｃ２１が固定されて動かなくなる。
【００６０】
次に、上端の高さを交互に異ならせて複数横方向に並べられた一段目および二段目の各パネル１Ｃ１，１Ｃ２１のうちの、上端が低い一段目の各パネル１Ｃ１に二段目のパネル１Ｃ２２が一段目のパネル１Ｃ１と側端を揃えて積み上げられ、積み上げられた二段目のパネル１Ｃ２２の上端が二段目の側方のパネル１Ｃ２１の上端よりも高くされる。その後、各パネル１Ｃ２１，１Ｃ２２の背面側に、上端が低い二段目の各パネル１Ｃ２１の上端付近の高さまでコンクリート１３が打設されて、打設されたコンクリート１３が硬化することにより、二段目の各パネル１Ｃ２２が固定されて動かなくなる。
【００６１】
次に、上端の高さを交互に異ならせて複数横方向に並べられた二段目の各パネル１Ｃ２１，１Ｃ２２のうちの上端が低い各パネル１Ｃ２１に、三段目のパネル１Ｃ３１が矢示するように二段目のパネル１Ｃ２１と側端を揃えて積み上げられ、積み上げられた三段目のパネル１Ｃ３１の上端が二段目の側方のパネル１Ｃ２２の上端よりも高くされる。その後、各パネル１Ｃ２２，１Ｃ３１の背面側に、上端が低い二段目の各パネル１Ｃ２２の上端付近の高さまで、コンクリート１３が打設され、打設されたコンクリート１３が硬化することにより、三段目のパネル１Ｃ３１が固定されて動かなくなる。
【００６２】
上記のように各パネル１Ｃは、積み上げられるパネル１Ｃの高さが所定の高さになるまでイモ積み方式で積み上げられ、上記の作業が繰り返される。パネル１Ｃの高さが所定の高さになると、最後に、上端の高さを交互に異ならせて複数横方向に並べられたパネル１Ｃのうちの上端が低いパネル１Ｃの上に、パネル１Ｃのパネル本体１ｃが第２の係合部材３ａ，３ａを備える下半分にされた半物サイズのパネルが積み上げられて、壁面の上端が同じ高さに揃えられる。
【００６３】
このようなパネル１Ｃを用いた第１の実施形態の第１変形例による壁面構築方法および壁面構造によっても、上述した第１の実施形態と同様な作用効果が奏される。
【００６４】
また、図６に示すように、凸状をしたパネル本体１ｅから成るパネル１Ｅによって壁面を構成するようにしてもよい。同図（ａ）、（ｂ）、（ｃ）および（ｄ）は、パネル１Ｅの正面図、側面図、背面図および平面図であり、同図において図１と同一部分には同一符号を付してその説明は省略する。
【００６５】
パネル１Ｅも、図１に示すパネル１Ａと比較し、パネル本体１ｅの形状のみが相違し、一方の各端部がそれぞれパネル本体１ｅの側端上方において左側方，右側方に突出する第１の係合部材２ａ，２ａ、および一方の各端部がそれぞれ下方に突出する第２の係合部材３ａ，３ａをパネル１Ａと同様に備える。
【００６６】
図７は、図６に示すパネル１Ｅを第１の実施形態の第２変形例の壁面構築方法によって複数段積み上げて構築して行く過程における壁面構造の背面図である。なお、同図において図６と同一部分には同一符号を付してその説明は省略する。
【００６７】
パネル１Ａを用いた図２に示す壁面と同様、最下段には半物サイズのパネル１Ｆが使われている。このパネル１Ｆは、図６に示すパネル１Ｅのパネル本体１ｅが第１の係合部材２ａ，２ａを備える上半分にされたパネル本体１ｆから成り、パネル本体１ｆの高さがパネル本体１ｅの高さの半分にされて、第２の係合部材３ａ，３ａを備えていない。また、最下段のパネル１Ｅ１は、端部が下方に突出する第２の係合部材３ａ，３ａを備えておらず、第２の係合部材３ａ，３ａを取り付けるためのアンカーボルト４のみが、パネル本体１ｅの背面に埋め込まれたインサートナット５に螺合して、パネル本体１ｅの背面から突出している。また、半物サイズのパネル１Ｆにも、側方の最下段のパネル１Ｅ１と対応する高さ位置において、アンカーボルト４がパネル本体１ｆの背面に埋め込まれたインサートナット５に螺合して、パネル本体１ｆの背面から突出している。
【００６８】
パネル１Ｅも、パネル１Ａと同様に積み上げられる。つまり、最初に、最下段のパネル１Ｅ１およびパネル１Ｆが、上端の高さを交互に異ならせて、基礎１２上に複数横方向に揃えて並べられる。次に、最下段のパネル１Ｅ１およびパネル１Ｆの背面側に、低い各パネル１Ｆの上端付近の高さまでコンクリート１３が打設されて、打設されたコンクリート１３が硬化することにより、最下段のパネル１Ｅ１およびパネル１Ｆが固定されて動かなくなる。
【００６９】
次に、上端の高さを交互に異ならせて複数横方向に並べられた最下段の一段目の各パネル１Ｅ１，１Ｆのうちの、上端が低い各パネル１Ｆに二段目のパネル１Ｅ２１が一段目のパネル１Ｆと側端を揃えて積み上げられ、積み上げられた二段目のパネル１Ｅ２１の上端が側方の一段目のパネル１Ｅ１の上端よりも高くされる。その後、各パネル１Ｅ１，１Ｅ２１の背面側に、上端が低い一段目の各パネル１Ｅ１の上端付近の高さまでコンクリート１３が打設されて、打設されたコンクリート１３が硬化することにより、二段目の各パネル１Ｅ２１が固定されて動かなくなる。
【００７０】
次に、上端の高さを交互に異ならせて複数横方向に並べられた一段目および二段目の各パネル１Ｅ１，１Ｅ２１のうちの、上端が低い一段目の各パネル１Ｅ１に二段目のパネル１Ｅ２２が一段目のパネル１Ｅ１と側端を揃えて積み上げられ、積み上げられた二段目のパネル１Ｅ２２の上端が二段目の側方のパネル１Ｅ２１の上端よりも高くされる。その後、各パネル１Ｅ２１，１Ｅ２２の背面側に、上端が低い二段目の各パネル１Ｅ２１の上端付近の高さまでコンクリート１３が打設されて、打設されたコンクリート１３が硬化することにより、二段目の各パネル１Ｅ２２が固定されて動かなくなる。
【００７１】
次に、上端の高さを交互に異ならせて複数横方向に並べられた二段目の各パネル１Ｅ２１，１Ｅ２２のうちの上端が低い各パネル１Ｅ２１に、三段目のパネル１Ｅ３１が矢示するように二段目のパネル１Ｅ２１と側端を揃えて積み上げられ、積み上げられた三段目のパネル１Ｅ３１の上端が二段目の側方のパネル１Ｅ２２の上端よりも高くされる。その後、各パネル１Ｅ２２，１Ｅ３１の背面側に、上端が低い二段目の各パネル１Ｅ２２の上端付近の高さまでコンクリート１３が打設され、打設されたコンクリート１３が硬化することにより、三段目のパネル１Ｅ３１が固定されて動かなくなる。
【００７２】
上記のように各パネル１Ｅは、積み上げられるパネル１Ｅの高さが所定の高さになるまでイモ積み方式で積み上げられ、上記の作業が繰り返される。パネル１Ｅの高さが所定の高さになると、最後に、上端の高さを交互に異ならせて複数横方向に並べられたパネル１Ｅのうちの上端が低いパネル１Ｅの上に、パネル１Ｅのパネル本体１ｅが第２の係合部材３ａ，３ａを備える下半分にされた半物サイズのパネルが積み上げられて、壁面の上端が同じ高さに揃えられる。
【００７３】
このようなパネル１Ｅを用いた第１の実施形態の第２変形例による壁面構築方法および壁面構造によっても、上述した第１の実施形態と同様な作用効果が奏される。
【００７４】
また、図６に示す凸状のパネル本体１ｅと図４に示す逆凸状のパネル本体１ｃとを上下につなげた図８に示すような形状をしたパネル本体１ｇから成るパネル１Ｇにより、壁面を構成するようにしてもよい。同図（ａ）、（ｂ）、（ｃ）および（ｄ）は、パネル１Ｇの側面図、背面図、正面図および平面図であり、同図において図１と同一部分には同一符号を付してその説明は省略する。
【００７５】
パネル１Ｇも、図１に示すパネル１Ａと比較し、パネル本体１ｇの形状のみが相違し、一方の各端部がそれぞれパネル本体１ｇの側端上方において左側方，右側方に突出する第１の係合部材２ａ，２ａ、および一方の各端部がそれぞれ下方に突出する第２の係合部材３ａ，３ａをパネル１Ａと同様に備える。
【００７６】
図９は、図８に示すパネル１Ｇを第１の実施形態の第３変形例の壁面構築方法によって複数段積み上げて構築して行く過程における壁面構造の背面図である。なお、同図において図８と同一部分には同一符号を付してその説明は省略する。
【００７７】
パネル１Ａを用いた図２に示す壁面と同様、最下段には半物サイズのパネル１Ｈが使われている。このパネル１Ｈは、図８に示すパネル１Ｇのパネル本体１ｇが第１の係合部材２ａ，２ａを備える上半分にされた、図６に示すパネル本体１ｅと同様な形状をしたパネル本体１ｈから成り、パネル本体１ｈの高さがパネル本体１ｇの高さの半分にされて、第２の係合部材３ａ，３ａを備えていない。また、最下段のパネル１Ｇ１は、端部が下方に突出する第２の係合部材３ａ，３ａを備えておらず、第２の係合部材３ａ，３ａを取り付けるためのアンカーボルト４のみが、パネル本体１ｇの背面に埋め込まれたインサートナット５に螺合して、パネル本体１ｇの背面から突出している。また、半物サイズのパネル１Ｈにも、側方の最下段のパネル１Ｇ１と対応する高さ位置において、アンカーボルト４がパネル本体１ｈの背面に埋め込まれたインサートナット５に螺合して、パネル本体１ｈの背面から突出している。
【００７８】
パネル１Ｇも、パネル１Ａと同様に積み上げられる。つまり、最初に、最下段のパネル１Ｇ１およびパネル１Ｈが、上端の高さを交互に異ならせて、基礎１２上に複数横方向に揃えて並べられる。次に、最下段のパネル１Ｇ１およびパネル１Ｈの背面側に、低い各パネル１Ｈの上端付近の高さまでコンクリート１３が打設されて、打設されたコンクリート１３が硬化することにより、最下段のパネル１Ｇ１およびパネル１Ｈが固定されて動かなくなる。
【００７９】
次に、上端の高さを交互に異ならせて複数横方向に並べられた最下段の一段目の各パネル１Ｇ１，１Ｈのうちの上端が低い各パネル１Ｈに、二段目のパネル１Ｇ２１が一段目のパネル１Ｈと側端を揃えて積み上げられ、積み上げられた二段目のパネル１Ｇ２１の上端が側方の一段目のパネル１Ｇ１の上端よりも高くされる。その後、各パネル１Ｇ１，１Ｇ２１の背面側に、上端が低い一段目の各パネル１Ｇ１の上端付近の高さまでコンクリート１３が打設されて、打設されたコンクリート１３が硬化することにより、二段目の各パネル１Ｇ２１が固定されて動かなくなる。
【００８０】
次に、上端の高さを交互に異ならせて複数横方向に並べられた一段目および二段目の各パネル１Ｇ１，１Ｇ２１のうちの上端が低い一段目の各パネル１Ｇ１に、二段目のパネル１Ｇ２２が矢示するように一段目のパネル１Ｇ１と側端を揃えて積み上げられ、積み上げられた二段目のパネル１Ｇ２２の上端が二段目の側方のパネル１Ｇ２１の上端よりも高くされる。その後、各パネル１Ｇ２１，１Ｇ２２の背面側に、上端が低い二段目の各パネル１Ｇ２１の上端付近の高さまでコンクリート１３が打設されて、打設されたコンクリート１３が硬化することにより、二段目の各パネル１Ｇ２２が固定されて動かなくなる。
【００８１】
上記のように各パネル１Ｇは、積み上げられるパネル１Ｇの高さが所定の高さになるまでイモ積み方式で積み上げられ、上記の作業が繰り返される。パネル１Ｇの高さが所定の高さになると、最後に、上端の高さを交互に異ならせて複数横方向に並べられたパネル１Ｇのうちの上端が低いパネル１Ｇの上に、パネル１Ｇのパネル本体１ｇが第２の係合部材３ａ，３ａを備える下半分にされた、図４に示すパネル本体１ｃと同様な形状をした半物サイズのパネルが積み上げられて、壁面の上端が同じ高さに揃えられる。
【００８２】
このようなパネル１Ｇを用いた第１の実施形態の第３変形例による壁面構築方法および壁面構造によっても、上述した第１の実施形態と同様な作用効果が奏される。
【００８３】
次に、本発明による壁面構築方法および壁面構造の第２の実施の形態について説明する。
【００８４】
上記の第１の実施形態におけるパネル１Ａ，１Ｃ，１Ｅ，１Ｇは、一方の各端部がそれぞれパネル本体１ａの側端上方において左側方，右側方に突出する第１の係合部材２ａ，２ａと、一方の各端部がそれぞれパネル本体１ａの下方に突出する第２の係合部材３ａ，３ａとを備えている場合について説明した。しかし、第２の実施形態におけるパネル１Ｊは、図１０に示すように、一方の各端部がそれぞれ上方に突出する第１の係合部材２ｂ，２ｂと、一方の各端部がそれぞれパネル本体１ａの側端下方において左側方，右側方に突出する第２の係合部材３ｂ，３ｂとを備えて、構成されている。同図（ａ）、（ｂ）、（ｃ）および（ｄ）は、パネル１Ｊの正面図、側面図、背面図および平面図であり、同図において図１と同一部分には同一符号を付してその説明は省略する。
【００８５】
これら第１の係合部材２ｂ，２ｂおよび第２の係合部材３ｂ，３ｂも、第１の係合部材２ａ，２ａおよび第２の係合部材３ａ，３ａと同様、断面Ｌ字形状の鋼材から成り、他方の各端部にあけられた穴がパネル本体１ａ背面のインサートナット５に螺合したアンカーボルト４に通され、ナット６で締め付けられて固定されている。
【００８６】
図１１は、図１０に示すパネル１Ｊを第２の実施形態の壁面構築方法によって複数段積み上げて構築して行く過程における壁面構造の背面図である。なお、同図において図１０と同一部分には同一符号を付してその説明は省略する。
【００８７】
壁面は、各パネル１Ｊの側端が上段と下段とで揃えられるイモ積み方式で、垂直または斜めに各パネル１Ｊが複数段積み上げられて、構築される。構築されると、壁面を構成する各パネル本体１ａの前面は面一になる。
【００８８】
最下段には半物サイズのパネル１Ｋが使われている。このパネル１Ｋは、図１０に示すパネル１Ｊのパネル本体１ａが第１の係合部材２ｂ，２ｂを備える上半分にされたパネル本体１ｂから成り、パネル本体１ｂの高さがパネル本体１ａの高さの半分にされて、第２の係合部材３ｂ，３ｂを備えていない。また、半物サイズのパネル１Ｋには、側方の最下段のパネル１Ｊ１の第２の係合部材３ｂ，３ｂと対応する高さ位置において、アンカーボルト４がパネル本体１ｂの背面に埋め込まれたインサートナット５に螺合して、パネル本体１ｂの背面から突出している。
【００８９】
壁面の構築に際し、最初に、最下段のパネル１Ｊ１およびパネル１Ｋが、上端の高さを交互に異ならせて、基礎１２上に複数横方向に揃えて並べられ、支保工などによって仮固定される。次に、最下段のパネル１Ｊ１およびパネル１Ｋの背面側に、低い各パネル１Ｋの上端付近の高さまでコンクリート１３が打設される。打設されたこのコンクリート１３が硬化することにより、各パネル本体１ａ，１ｂの背面から突出するアンカーボルト４がアンカーとなって、最下段のパネル１Ｊ１およびパネル１Ｋが固定されて動かなくなる。
【００９０】
次に、上端の高さを交互に異ならせて複数横方向に並べられた最下段の一段目の各パネル１Ｊ１，１Ｋのうちの上端が低い各パネル１Ｋに、二段目のパネル１Ｊ２１が一段目のパネル１Ｋと側端を揃えて積み上げられ、積み上げられた二段目のパネル１Ｊ２１の上端が側方の一段目のパネル１Ｊ１の上端よりも高くされる。このパネル本体１ａの積み上げは、壁面を垂直に構築する場合には、二段目のパネル１Ｊ２１のパネル本体１ａを垂直に吊り上げ、上端が低い下方のパネル１Ｋの垂直に立つパネル本体１ｂとパネル面を平行にして積むことで、行われる。
【００９１】
また、壁面を斜めに構築する場合には、二段目のパネル１Ｊ２１のパネル本体１ａを斜めに吊り上げ、上端が低い下方のパネル１Ｋの斜めに傾くパネル本体１ｂとパネル面を平行にして積むか、または、側方に突出する第２の係合部材３ｂ，３ｂを取り付けていない、もしくは、その端部を回動して側方から突出させていない二段目のパネル１Ｊ２１のパネル本体１ａを、パネル面を垂直にして、パネル面が傾いた下方のパネル１Ｋのパネル本体１ｂの上端に乗せた後、背面側に傾けて積むことで、行われる。
【００９２】
取り外した、もしくは、端部を回動させた第２の係合部材３ｂ，３ｂは、既に載置されている側方の一段目のパネル１Ｊ１のパネル本体１ａと干渉しなくなった後、パネル本体１ａに取り付けられる、もしくは、端部が元の位置に回動させられる。また、二段目のパネル１Ｊ２１のパネル本体１ａを下方のパネル１Ｋのパネル本体１ｂとパネル面を平行にして積む垂直積みおよび斜め積みの場合にも、同様にして、第２の係合部材３ｂ，３ｂを取り外した状態で、もしくは、その端部を回動して側方から突出させない状態で、行ってもよい。
【００９３】
この際、一段目の各パネル１Ｋに備えられた第１の係合部材２ｂ，２ｂは、上方に突出した端部が上方に積み上げられる二段目のパネル１Ｊ２１のパネル本体１ａの背面に当接して、積み上げられる二段目のパネル１Ｊ２１の背面側へ倒れる力を支える。また、二段目のパネル１Ｊ２１に備えられた第２の係合部材３ｂ，３ｂは、側方に突出した端部が既に積まれた側方の一段目のパネル１Ｊ１のパネル本体１ａの背面に当接して、下端が前面側へ迫り出すのを抑える。従って、二段目のパネル１Ｊ２１は、積み上げられる際に、第１の係合部材２ｂ，２ｂと第２の係合部材３ｂ，３ｂとにより、下方の一段目のパネル１Ｋのパネル本体１ｂと側端が揃えられて、上端が低い一段目のパネル１Ｋ上に載置される。
【００９４】
その後、各パネル１Ｊ１，１Ｊ２１の背面側に、上端が低い一段目の各パネル１Ｊ１の上端付近の高さまで、コンクリート１３が打設される。打設されたこのコンクリート１３が硬化することにより、各パネル本体１ａの背面から突出するアンカーボルト４がアンカーとなって、二段目の各パネル１Ｊ２１が固定されて動かなくなる。
【００９５】
次に、上端の高さを交互に異ならせて複数横方向に並べられた一段目および二段目の各パネル１Ｊ１，１Ｊ２１のうちの上端が低い一段目の各パネル１Ｊ１に、二段目のパネル１Ｊ２２が一段目のパネル１Ｊ１と側端を揃えて積み上げられ、積み上げられた二段目のパネル１Ｊ２２の上端が二段目の側方のパネル１Ｊ２１の上端よりも高くされる。このときも、パネル本体１ａの積み上げは、一段目のパネル１Ｋに二段目のパネル１Ｊ２１を積み上げるときと同様にして行われる。
【００９６】
この際、一段目の各パネル１Ｊ１に備えられた第１の係合部材２ｂ，２ｂは、上方に突出した端部が上方に積み上げられる二段目のパネル１Ｊ２２のパネル本体１ａの背面に当接して、積み上げられる二段目のパネル１Ｊ２２の背面側へ倒れる力を支える。また、二段目のパネル１Ｊ２２に備えられた第２の係合部材３ｂ，３ｂは、側方に突出した端部が既に積まれた側方の二段目のパネル１Ｊ２１のパネル本体１ａの背面に当接して、下端が前面側へ迫り出すのを抑える。従って、二段目のパネル１Ｊ２２は、積み上げられる際に、第１の係合部材２ｂ，２ｂと第２の係合部材３ｂ，３ｂとにより、下方の一段目のパネル１Ｊ１のパネル本体１ａと側端が揃えられて、上端が低い一段目のパネル１Ｊ１上に載置される。
【００９７】
その後、各パネル１Ｊ２１，１Ｊ２２の背面側に、上端が低い二段目の各パネル１Ｊ２１の上端付近の高さまで、コンクリート１３が打設される。打設されたこのコンクリート１３が硬化することにより、各パネル本体１ａの背面から突出するアンカーボルト４がアンカーとなって、二段目の各パネル１Ｊ２２が固定されて動かなくなる。
【００９８】
次に、上端の高さを交互に異ならせて複数横方向に並べられた二段目の各パネル１Ｊ２１，１Ｊ２２のうちの上端が低い各パネル１Ｊ２１に、三段目のパネル１Ｊ３１が矢示するように二段目のパネル１Ｊ２１と側端を揃えて積み上げられ、積み上げられた三段目のパネル１Ｊ３１の上端が二段目の側方のパネル１Ｊ２２の上端よりも高くされる。その後、各パネル１Ｊ２２，１Ｊ３１の背面側に、上端が低い二段目の各パネル１Ｊ２２の上端付近の高さまでコンクリート１３が打設され、打設されたコンクリート１３が硬化することにより、三段目のパネル１Ｊ３１が固定されて動かなくなる。
【００９９】
上記のように各パネル１Ｊは、積み上げられるパネル１Ｊの高さが所定の高さになるまでイモ積み方式で積み上げられ、上記の作業が繰り返される。パネル１Ｊの高さが所定の高さになると、最後に、上端の高さを交互に異ならせて複数横方向に並べられたパネル１Ｊのうちの上端が低いパネル１Ｊの上に、パネル１Ｊのパネル本体１ａが第２の係合部材３ｂ，３ｂを備える下半分にされた半物サイズのパネルが積み上げられて、壁面の上端が同じ高さに揃えられる。ここで、最上段のパネル１Ｊには、上方に突出する第１の係合部材２ｂ，２ｂは取り付けられない。
【０１００】
このようなパネル１Ｊを用いた第２の実施形態による壁面構築方法および壁面構造によっても、上述した第１の実施形態と同様な作用効果が奏される。
【０１０１】
さらに、第２の実施形態によれば、次段のパネル本体１ａを上端が低い下方のパネル本体１ａ，１ｂとパネル面を平行にして積む場合、次段のパネル本体１ａに側方に突出して備えられた第２の係合部材３ｂ，３ｂが、次段のパネル本体１ａの設置位置側方に既に載置されているパネル本体１ａと競り合って干渉したりすることがあるが、次段のパネル本体１ａに側方に突出して備えられた第２の係合部材３ｂ，３ｂをパネル本体１ａから取り外す、もしくは、その端部を回動して側方から突出させないことで、次段のパネル本体１ａに備えられた第２の係合部材３ｂ，３ｂが、次段のパネル本体１ａの設置位置側方に既に載置されているパネル本体１ａと干渉すること無く、次段のパネル本体１ａを側端を揃えて上端が低い下方のパネル本体１ａ上に載置することができる。また、次段のパネル本体１ａをパネル面を垂直にしてパネル面が傾いた下方のパネル本体１ａの上端に乗せた後、背面側に傾けて積む場合、次段のパネル本体１ａに側方に突出して備えられた第２の係合部材３ｂ，３ｂをパネル本体１ａから取り外す、もしくは、その端部を回動して側方から突出させないことで、次段のパネル本体１ａに備えられた第２の係合部材３ｂ，３ｂが、次段のパネル本体１ａの設置位置側方に既に載置されているパネル本体１ａと干渉すること無く、次段のパネル本体１ａを側端を揃えて上端が低い下方のパネル本体１ａ上に載置することができる。
【０１０２】
なお、図１０および図１１に示す第２の実施形態において、壁面を構成するパネル１Ｊのパネル本体１ａは長方形状をしている場合について説明したが、図１２に示すように、逆凸状をしたパネル本体１ｃから成るパネル１Ｍによって壁面を構成するようにしてもよい。同図（ａ）、（ｂ）、（ｃ）および（ｄ）は、パネル１Ｍの正面図、側面図、背面図および平面図であり、同図において図１０と同一部分には同一符号を付してその説明は省略する。
【０１０３】
パネル１Ｍは、図１０に示すパネル１Ｊと比較し、パネル本体１ｃの形状のみが相違し、一方の各端部がそれぞれ上方に突出する第１の係合部材２ｂ，２ｂ、および一方の各端部がそれぞれパネル本体１ｃの側端下方において左側方，右側方に突出する第２の係合部材３ｂ，３ｂをパネル１Ｊと同様に備える。
【０１０４】
図１３は、図１２に示すパネル１Ｍを第２の実施形態の第１変形例の壁面構築方法によって複数段積み上げて構築して行く過程における壁面構造の背面図である。なお、同図において図１２と同一部分には同一符号を付してその説明は省略する。
【０１０５】
パネル１Ｊを用いた図１１に示す壁面と同様、最下段には半物サイズのパネル１Ｎが使われている。このパネル１Ｎは、図１２に示すパネル１Ｍのパネル本体１ｃが第１の係合部材２ｂ，２ｂを備える上半分にされたパネル本体１ｄから成り、パネル本体１ｄの高さがパネル本体１ｃの高さの半分にされて、第２の係合部材３ｂ，３ｂを備えていない。また、半物サイズのパネル１Ｎには、側方の最下段のパネル１Ｍ１の第２の係合部材３ｂ，３ｂと対応する高さ位置において、アンカーボルト４がパネル本体１ｄの背面に埋め込まれたインサートナット５に螺合して、パネル本体１ｂの背面から突出している。
【０１０６】
パネル１Ｍも、パネル１Ｊと同様に積み上げられる。つまり、最初に、最下段のパネル１Ｍ１およびパネル１Ｎが、上端の高さを交互に異ならせて、基礎１２上に複数横方向に揃えて並べられる。次に、最下段のパネル１Ｍ１およびパネル１Ｎの背面側に、低い各パネル１Ｎの上端付近の高さまでコンクリート１３が打設されて、打設されたコンクリート１３が硬化することにより、最下段のパネル１Ｍ１およびパネル１Ｎが固定されて動かなくなる。
【０１０７】
次に、上端の高さを交互に異ならせて複数横方向に並べられた最下段の一段目の各パネル１Ｍ１，１Ｎのうちの上端が低い各パネル１Ｎに、二段目のパネル１Ｍ２１が一段目のパネル１Ｎと側端を揃えて積み上げられ、積み上げられた二段目のパネル１Ｍ２１の上端が側方の一段目のパネル１Ｍ１の上端よりも高くされる。その後、各パネル１Ｍ１，１Ｍ２１の背面側に、上端が低い一段目の各パネル１Ｍ１の上端付近の高さまでコンクリート１３が打設されて、打設されたコンクリート１３が硬化することにより、二段目の各パネル１Ｍ２１が固定されて動かなくなる。
【０１０８】
次に、上端の高さを交互に異ならせて複数横方向に並べられた一段目および二段目の各パネル１Ｍ１，１Ｍ２１のうちの上端が低い一段目の各パネル１Ｍ１に、二段目のパネル１Ｍ２２が一段目のパネル１Ｍ１と側端を揃えて積み上げられ、積み上げられた二段目のパネル１Ｍ２２の上端が二段目の側方のパネル１Ｍ２１の上端よりも高くされる。その後、各パネル１Ｍ２１，１Ｍ２２の背面側に、上端が低い二段目の各パネル１Ｍ２１の上端付近の高さまでコンクリート１３が打設されて、打設されたコンクリート１３が硬化することにより、二段目の各パネル１Ｍ２２が固定されて動かなくなる。
【０１０９】
次に、上端の高さを交互に異ならせて複数横方向に並べられた二段目の各パネル１Ｍ２１，１Ｍ２２のうちの上端が低い各パネル１Ｍ２１に、三段目のパネル１Ｍ３１が矢示するように二段目のパネル１Ｍ２１と側端を揃えて積み上げられ、積み上げられた三段目のパネル１Ｍ３１の上端が二段目の側方のパネル１Ｍ２２の上端よりも高くされる。その後、各パネル１Ｍ２２，１Ｍ３１の背面側に、上端が低い二段目の各パネル１Ｍ２２の上端付近の高さまでコンクリート１３が打設され、打設されたコンクリート１３が硬化することにより、三段目のパネル１Ｍ３１が固定されて動かなくなる。
【０１１０】
上記のように各パネル１Ｍは、積み上げられるパネル１Ｍの高さが所定の高さになるまでイモ積み方式で積み上げられ、上記の作業が繰り返される。パネル１Ｍの高さが所定の高さになると、最後に、上端の高さを交互に異ならせて複数横方向に並べられたパネル１Ｍのうちの上端が低いパネル１Ｍの上に、パネル１Ｍのパネル本体１ｃが第２の係合部材３ｂ，３ｂを備える下半分にされた半物サイズのパネルが積み上げられて、壁面の上端が同じ高さに揃えられる。ここで、最上段のパネル１Ｍおよびパネル１Ｎには、上方に突出する第１の係合部材２ｂ，２ｂは取り付けられない。
【０１１１】
このようなパネル１Ｍを用いた第２の実施形態の第１変形例による壁面構築方法および壁面構造によっても、上述した第２の実施形態と同様な作用効果が奏される。
【０１１２】
また、図１０および図１１に示す第２の実施形態において、図１４に示すように、凸状をしたパネル本体１ｅから成るパネル１Ｏによって壁面を構成するようにしてもよい。同図（ａ）、（ｂ）、（ｃ）および（ｄ）は、パネル１Ｏの正面図、側面図、背面図および平面図であり、同図において図１０と同一部分には同一符号を付してその説明は省略する。
【０１１３】
パネル１Ｏも、図１０に示すパネル１Ｊと比較し、パネル本体１ｅの形状のみが相違し、一方の各端部がそれぞれ上方に突出する第１の係合部材２ｂ，２ｂ、および一方の各端部がそれぞれパネル本体１ｅの側端下方において左側方，右側方に突出する第２の係合部材３ｂ，３ｂをパネル１Ｊと同様に備える。
【０１１４】
図１５は、図１４に示すパネル１Ｏを第２の実施形態の第２変形例の壁面構築方法によって複数段積み上げて構築して行く過程における壁面構造の背面図である。なお、同図において図１４と同一部分には同一符号を付してその説明は省略する。
【０１１５】
パネル１Ｊを用いた図１１に示す壁面と同様、最下段には半物サイズのパネル１Ｐが使われている。このパネル１Ｐは、図１４に示すパネル１Ｏのパネル本体１ｅが第１の係合部材２ｂ，２ｂを備える上半分にされたパネル本体１ｆから成り、パネル本体１ｆの高さがパネル本体１ｅの高さの半分にされて、第２の係合部材３ｂ，３ｂを備えていない。また、半物サイズのパネル１Ｐには、側方の最下段のパネル１Ｏ１の第２の係合部材３ｂ，３ｂと対応する高さ位置において、アンカーボルト４がパネル本体１ｆの背面に埋め込まれたインサートナット５に螺合して、パネル本体１ｆの背面から突出している。
【０１１６】
パネル１Ｏも、パネル１Ｊと同様に積み上げられる。つまり、最初に、最下段のパネル１Ｏ１およびパネル１Ｐが、上端の高さを交互に異ならせて、基礎１２上に複数横方向に揃えて並べられる。次に、最下段のパネル１Ｏ１およびパネル１Ｐの背面側に、低い各パネル１Ｐの上端付近の高さまでコンクリート１３が打設されて、打設されたコンクリート１３が硬化することにより、最下段のパネル１Ｏ１およびパネル１Ｐが固定されて動かなくなる。
【０１１７】
次に、上端の高さを交互に異ならせて複数横方向に並べられた最下段の一段目の各パネル１Ｏ１，１Ｐのうちの上端が低い各パネル１Ｐに、二段目のパネル１Ｏ２１が一段目のパネル１Ｐと側端を揃えて積み上げられ、積み上げられた二段目のパネル１Ｏ２１の上端が側方の一段目のパネル１Ｏ１の上端よりも高くされる。その後、各パネル１Ｏ１，１Ｏ２１の背面側に、上端が低い一段目の各パネル１Ｏ１の上端付近の高さまでコンクリート１３が打設されて、打設されたコンクリート１３が硬化することにより、二段目の各パネル１Ｏ２１が固定されて動かなくなる。
【０１１８】
次に、上端の高さを交互に異ならせて複数横方向に並べられた一段目および二段目の各パネル１Ｏ１，１Ｏ２１のうちの、上端が低い一段目の各パネル１Ｏ１に二段目のパネル１Ｏ２２が一段目のパネル１Ｏ１と側端を揃えて積み上げられ、積み上げられた二段目のパネル１Ｏ２２の上端が二段目の側方のパネル１Ｏ２１の上端よりも高くされる。その後、各パネル１Ｏ２１，１Ｏ２２の背面側に、上端が低い二段目の各パネル１Ｏ２１の上端付近の高さまでコンクリート１３が打設されて、打設されたコンクリート１３が硬化することにより、二段目の各パネル１Ｏ２２が固定されて動かなくなる。
【０１１９】
次に、上端の高さを交互に異ならせて複数横方向に並べられた二段目の各パネル１Ｏ２１，１Ｏ２２のうちの上端が低い各パネル１Ｏ２１に、三段目のパネル１Ｏ３１が矢示するように二段目のパネル１Ｏ２１と側端を揃えて積み上げられ、積み上げられた三段目のパネル１Ｏ３１の上端が二段目の側方のパネル１Ｏ２２の上端よりも高くされる。その後、各パネル１Ｏ２２，１Ｏ３１の背面側に、上端が低い二段目の各パネル１Ｏ２２の上端付近の高さまでコンクリート１３が打設され、打設されたコンクリート１３が硬化することにより、三段目のパネル１Ｏ３１が固定されて動かなくなる。
【０１２０】
上記のように各パネル１Ｏは、積み上げられるパネル１Ｏの高さが所定の高さになるまでイモ積み方式で積み上げられ、上記の作業が繰り返される。パネル１Ｏの高さが所定の高さになると、最後に、上端の高さを交互に異ならせて複数横方向に並べられたパネル１Ｏのうちの上端が低いパネル１Ｏの上に、パネル１Ｏのパネル本体１ｅが第２の係合部材３ｂ，３ｂを備える下半分にされた半物サイズのパネルが積み上げられて、壁面の上端が同じ高さに揃えられる。ここで、最上段のパネル１Ｏには、上方に突出する第１の係合部材２ｂ，２ｂは取り付けられない。
【０１２１】
このようなパネル１Ｏを用いた第２の実施形態の第２変形例による壁面構築方法および壁面構造によっても、上述した第２の実施形態と同様な作用効果が奏される。
【０１２２】
また、図１０および図１１に示す第２の実施形態において、図１４に示す凸状のパネル本体１ｅと図１２に示す逆凸状のパネル本体１ｃとを上下につなげた図１６に示すような形状をしたパネル本体１ｇから成るパネル１Ｑによって壁面を構成するようにしてもよい。同図（ａ）、（ｂ）、（ｃ）および（ｄ）は、パネル１Ｑの側面図、背面図、正面図および平面図であり、同図において図１０と同一部分には同一符号を付してその説明は省略する。
【０１２３】
パネル１Ｑも、図１０に示すパネル１Ｊと比較し、パネル本体１ｇの形状のみが相違し、一方の各端部がそれぞれ上方に突出する第１の係合部材２ｂ，２ｂ、および一方の各端部がそれぞれパネル本体１ｇの側端下方において左側方，右側方に突出する第２の係合部材３ｂ，３ｂをパネル１Ｊと同様に備える。
【０１２４】
図１７は、図１６に示すパネル１Ｑを第２の実施形態の第３変形例の壁面構築方法によって複数段積み上げて構築して行く過程における壁面構造の背面図である。なお、同図において図１６と同一部分には同一符号を付してその説明は省略する。
【０１２５】
パネル１Ｊを用いた図１１に示す壁面と同様、最下段には半物サイズのパネル１Ｒが使われている。このパネル１Ｒは、図１６に示すパネル１Ｑのパネル本体１ｇが第１の係合部材２ｂ，２ｂを備える上半分にされた、図１４に示すパネル本体１ｅと同様な形状をしたパネル本体１ｈから成り、パネル本体１ｈの高さがパネル本体１ｇの高さの半分にされて、第２の係合部材３ｂ，３ｂを備えていない。また、半物サイズのパネル１Ｒには、側方の最下段のパネル１Ｑ１の第２の係合部材３ｂ，３ｂと対応する高さ位置において、アンカーボルト４がパネル本体１ｈの背面に埋め込まれたインサートナット５に螺合して、パネル本体１ｈの背面から突出している。
【０１２６】
パネル１Ｑも、パネル１Ｊと同様に積み上げられる。つまり、最初に、最下段のパネル１Ｑ１およびパネル１Ｒが、上端の高さを交互に異ならせて、基礎１２上に複数横方向に揃えて並べられる。次に、最下段のパネル１Ｑ１およびパネル１Ｒの背面側に、低い各パネル１Ｒの上端付近の高さまでコンクリート１３が打設されて、打設されたコンクリート１３が硬化することにより、最下段のパネル１Ｑ１およびパネル１Ｒが固定されて動かなくなる。
【０１２７】
次に、上端の高さを交互に異ならせて複数横方向に並べられた最下段の一段目の各パネル１Ｑ１，１Ｒのうちの上端が低い各パネル１Ｒに、二段目のパネル１Ｑ２１が一段目のパネル１Ｒと側端を揃えて積み上げられ、積み上げられた二段目のパネル１Ｑ２１の上端が側方の一段目のパネル１Ｑ１の上端よりも高くされる。その後、各パネル１Ｑ１，１Ｑ２１の背面側に、上端が低い一段目の各パネル１Ｑ１の上端付近の高さまでコンクリート１３が打設されて、打設されたコンクリート１３が硬化することにより、二段目の各パネル１Ｑ２１が固定されて動かなくなる。
【０１２８】
次に、上端の高さを交互に異ならせて複数横方向に並べられた一段目および二段目の各パネル１Ｑ１，１Ｑ２１のうちの上端が低い一段目の各パネル１Ｑ１に、二段目のパネル１Ｑ２２が矢示するように一段目のパネル１Ｑ１と側端を揃えて積み上げられ、積み上げられた二段目のパネル１Ｑ２２の上端が二段目の側方のパネル１Ｑ２１の上端よりも高くされる。その後、各パネル１Ｑ２１，１Ｑ２２の背面側に、上端が低い二段目の各パネル１Ｑ２１の上端付近の高さまでコンクリート１３が打設されて、打設されたコンクリート１３が硬化することにより、二段目の各パネル１ｑ２２が固定されて動かなくなる。
【０１２９】
上記のように各パネル１Ｑは、積み上げられるパネル１Ｑの高さが所定の高さになるまでイモ積み方式で積み上げられ、上記の作業が繰り返される。パネル１Ｑの高さが所定の高さになると、最後に、上端の高さを交互に異ならせて複数横方向に並べられたパネル１Ｑのうちの上端が低いパネル１Ｑの上に、パネル１Ｑのパネル本体１ｇが第２の係合部材３ｂ，３ｂを備える下半分にされた、図１２に示すパネル本体１ｃと同様な形状をした半物サイズのパネルが積み上げられて、壁面の上端が同じ高さに揃えられる。ここで、最上段のパネル１Ｑには、上方に突出する第１の係合部材２ｂ，２ｂは取り付けられない。
【０１３０】
このようなパネル１Ｑを用いた第２の実施形態の第３変形例による壁面構築方法および壁面構造によっても、上述した第２の実施形態と同様な作用効果が奏される。
【０１３１】
次に、本発明による壁面構築方法および壁面構造の第３の実施の形態について説明する。
【０１３２】
上記の第１の実施形態におけるパネル１Ａは、一方の各端部がそれぞれパネル本体１ａの側端上方において左側方，右側方に突出する第１の係合部材２ａ，２ａと、一方の各端部がそれぞれパネル本体１ａの下方に突出する第２の係合部材３ａ，３ａとを備えている場合について説明した。しかし、第３の実施形態におけるパネル１Ｓは、図１８に示すように、一方の各端部がそれぞれパネル本体１ａの側端上方において左側方，右側方に突出する第１の係合部材２ａ，２ａと、一方の各端部がそれぞれパネル本体１ａの側端下方において左側方，右側方に突出する第２の係合部材３ｂ，３ｂとを備えて、構成されている。同図（ａ）、（ｂ）、（ｃ）および（ｄ）は、パネル１Ｓの正面図、側面図、背面図および平面図であり、同図において図１と同一部分には同一符号を付してその説明は省略する。
【０１３３】
第２の係合部材３ｂ，３ｂも、第１の係合部材２ａ，２ａと同様、断面Ｌ字形状の鋼材から成り、他方の各端部にあけられた穴が、パネル本体１ａの背面のインサートナット５に螺合したアンカーボルト４に通され、ナット６で締め付けられて固定されている。
【０１３４】
図１９は、図１８に示すパネル１Ｓを第３の実施形態の壁面構築方法によって複数段積み上げて構築して行く過程における壁面構造の背面図である。なお、同図において図１８と同一部分には同一符号を付してその説明は省略する。
【０１３５】
壁面は、各パネル１Ｓの側端が上段と下段とで揃えられるイモ積み方式で、垂直または斜めに各パネル１Ｓが複数段積み上げられて、構築される。構築されると、壁面を構成する各パネル本体１ａの前面は面一になる。
【０１３６】
図２０は、斜めに各パネル１Ｓを複数段積み上げて構築して行く過程における壁面構造の背面斜視図である。なお、同図において図１９と同一部分には同一符号を付してその説明は省略する。
【０１３７】
最下段には半物サイズのパネル１Ｔが使われている。このパネル１Ｔは、図１８に示すパネル１Ｓのパネル本体１ａが第１の係合部材２ａ，２ａを備える上半分にされたパネル本体１ｂから成り、パネル本体１ｂの高さがパネル本体１ａの高さの半分にされて、第２の係合部材３ｂ，３ｂを備えていない。
【０１３８】
壁面の構築に際し、最初に、最下段のパネル１Ｓ１およびパネル１Ｔが、上端の高さを交互に異ならせて、砕石１１上の基礎１２上に複数横方向に揃えて並べられ、支保工などによって仮固定される。次に、最下段のパネル１Ｓ１およびパネル１Ｔの背面側に、低い各パネル１Ｔの上端付近の高さＡ（図２０参照）まで、コンクリート１３が打設される。打設されたこのコンクリート１３が硬化することにより、各パネル本体１ａ，１ｂの背面から突出するアンカーボルト４がアンカーとなって、最下段のパネル１Ｓ１およびパネル１Ｔが固定されて動かなくなる。
【０１３９】
次に、上端の高さを交互に異ならせて複数横方向に並べられた最下段の一段目の各パネル１Ｓ１，１Ｔのうちの、上端が低い各パネル１Ｔに二段目のパネル１Ｓ２１が一段目のパネル１Ｔと側端を揃えて積み上げられ、積み上げられた二段目のパネル１Ｓ２１の上端が側方の一段目のパネル１Ｓ１の上端よりも高くされる。このパネル本体１ａの積み上げは、壁面を垂直または斜めに構築する場合に、二段目のパネル１Ｓ２１のパネル本体１ａと、上端が低い下方のパネル１Ｔのパネル本体１ｂとの各パネル面を平行にして、側方に突出する第２の係合部材３ｂ，３ｂを取り付けていない、もしくは、その端部を図２０に示すように下方に回動して側方から突出させていない二段目のパネル１Ｓ２１のパネル本体１ａを、上端が低い下方のパネル１Ｔのパネル本体１ｂに積むことで、行われる。取り外した、もしくは、端部を回動させた第２の係合部材３ｂ，３ｂは、既に載置されている側方の一段目のパネル１Ｓ１に取り付けられた第１の係合部材２ａ，２ａと干渉しなくなった後、パネル本体１ａに取り付けられる、もしくは、端部が側方に突出する元の位置に図２０に矢示するように回動させられる。
【０１４０】
また、壁面を斜めに構築する場合には、側方に突出する第２の係合部材３ｂ，３ｂを取り付けていない、もしくは、その端部を回動して側方から突出させていない二段目のパネル１Ｓ２１のパネル本体１ａを、パネル面を垂直にして、パネル面が傾いた下方のパネル１Ｔのパネル本体１ｂの上端に乗せた後、背面側に傾けて積むことでも、行われる。取り外した、もしくは、端部を回動させた第２の係合部材３ｂ，３ｂは、既に載置されている側方の一段目のパネル１Ｓ１のパネル本体１ａと干渉しなくなった後、パネル本体１ａに取り付けられる、もしくは、端部が側方に突出する元の位置に回動させられる。
【０１４１】
この際、一段目の各パネル１Ｓ１に備えられた第１の係合部材２ａ，２ａは、側方に突出した端部が側方に積み上げられる二段目のパネル１Ｓ２１のパネル本体１ａの背面に当接して、積み上げられる二段目のパネル１Ｓ２１の背面側へ倒れる力を支える。また、二段目のパネル１Ｓ２１に備えられた第２の係合部材３ｂ，３ｂは、側方に突出した端部が既に積まれた側方の一段目のパネル１Ｓ１のパネル本体１ａの背面に当接して、下端が前面側へ迫り出すのを抑える。従って、二段目のパネル１Ｓ２１は、積み上げられる際に、第１の係合部材２ａ，２ａと第２の係合部材３ｂ，３ｂとにより、下方の一段目のパネル１Ｔのパネル本体１ｂと側端が揃えられて、上端が低い一段目のパネル１Ｔ上に載置される。
【０１４２】
その後、各パネル１Ｓ１，１Ｓ２１の背面側に、上端が低い一段目の各パネル１Ｓ１の上端付近の高さＢ（図２０参照）まで、コンクリート１３が打設される。打設されたこのコンクリート１３が硬化することにより、各パネル本体１ａの背面から突出するアンカーボルト４がアンカーとなって、二段目の各パネル１Ｓ２１が固定されて動かなくなる。
【０１４３】
次に、上端の高さを交互に異ならせて複数横方向に並べられた一段目および二段目の各パネル１Ｓ１，１Ｓ２１のうちの、上端が低い一段目の各パネル１Ｓ１に二段目のパネル１Ｓ２２が一段目のパネル１Ｓ１と側端を揃えて積み上げられ、積み上げられた二段目のパネル１Ｓ２２の上端が二段目の側方のパネル１Ｓ２１の上端よりも高くされる。このときも、パネル本体１ａの積み上げは、二段目のパネル１Ｓ２１のパネル本体１ａを上端が低い下方のパネル１Ｔのパネル本体１ｂに積むときと同様にして、行われる。
【０１４４】
この際、二段目の各パネル１Ｓ２１に備えられた第１の係合部材２ａ，２ａは、側方に突出した端部が側方に積み上げられる二段目のパネル１Ｓ２２のパネル本体１ａの背面に当接して、積み上げられる二段目のパネル１Ｓ２２の背面側へ倒れる力を支える。また、二段目のパネル１Ｓ２２に備えられた第２の係合部材３ｂ，３ｂは、側方に突出した端部が既に積まれた側方の二段目のパネル１Ｓ２１のパネル本体１ａの背面に当接して、下端が前面側へ迫り出すのを抑える。従って、二段目のパネル１Ｓ２２は、積み上げられる際に、第１の係合部材２ａ，２ａと第２の係合部材３ｂ，３ｂとにより、下方の一段目のパネル１Ｓ１のパネル本体１ａと側端が揃えられて、上端が低い一段目のパネル１Ｓ１上に載置される。
【０１４５】
その後、各パネル１Ｓ２１，１Ｓ２２の背面側に、上端が低い二段目の各パネル１Ｓ２１の上端付近の高さＣ（図２０参照）まで、コンクリート１３が打設される。打設されたこのコンクリート１３が硬化することにより、各パネル本体１ａの背面から突出するアンカーボルト４がアンカーとなって、二段目の各パネル１Ｓ２２が固定されて動かなくなる。
【０１４６】
次に、上端の高さを交互に異ならせて複数横方向に並べられた二段目の各パネル１Ｓ２１，１Ｓ２２のうちの上端が低い各パネル１Ｓ２１に、三段目のパネル１Ｓ３１が図１９に矢示するように二段目のパネル１Ｓ２１と側端を揃えて積み上げられ、積み上げられた三段目のパネル１Ｓ３１の上端が二段目の側方のパネル１Ｓ２２の上端よりも高くされる。その後、各パネル１Ｓ２２，１Ｓ３１の背面側に、上端が低い二段目の各パネル１Ｓ２２の上端付近の高さまでコンクリート１３が打設され、打設されたコンクリート１３が硬化することにより、三段目のパネル１Ｓ３１が固定されて動かなくなる。
【０１４７】
上記のように各パネル１Ｓは、積み上げられるパネル１Ｓの高さが所定の高さになるまでイモ積み方式で積み上げられ、上記の作業が繰り返される。パネル１Ｓの高さが所定の高さになると、最後に、上端の高さを交互に異ならせて複数横方向に並べられたパネル１Ｓのうちの上端が低いパネル１Ｓの上に、パネル１Ｓのパネル本体１ａが第２の係合部材３ｂ，３ｂを備える下半分にされた半物サイズのパネルが積み上げられて、壁面の上端が同じ高さに揃えられる。
【０１４８】
このようなパネル１Ｓを用いた第３の実施形態による壁面構築方法および壁面構造によっても、上述した第１の実施形態と同様な作用効果が奏される。
【０１４９】
さらに、第３の実施形態によれば、次段のパネル本体１ａを上端が低い下方のパネル本体１ａとパネル面を平行にして積む場合、次段のパネル本体１ａに側方に突出して備えられた第２の係合部材３ｂ，３ｂをパネル本体１ａから取り外す、もしくは、その端部を回動して側方から突出させないことで、次段のパネル本体１ａに備えられた第２の係合部材３ｂ，３ｂが、次段のパネル本体１ａの設置位置側方に既に載置されているパネル本体１ａおよびそれに取り付けられた第１の係合部材２ａ，２ａと干渉すること無く、次段のパネル本体１ａを側端を揃えて上端が低い下方のパネル本体１ａ上に載置することができる。
【０１５０】
なお、この場合、次段のパネル本体１ａの設置位置側方に既に載置されているパネル本体１ａの側方から突出する第１の係合部材２ａ，２ａをそのパネル本体１ａから取り外す、もしくは、その端部を回動して側方から突出させないことで、次段のパネル本体１ａおよびその側方に突出して備えられた第２の係合部材３ｂ，３ｂが、次段のパネル本体１ａの設置位置側方に既に載置されているパネル本体１ａに備えられた第１の係合部材２ａ，２ａと干渉すること無く、次段のパネル本体１ａを側端を揃えて上端が低い下方のパネル本体１ａ上に載置することができる。
【０１５１】
また、次段のパネル本体１ａをパネル面を垂直にしてパネル面が傾いた下方のパネル本体１ａの上端に乗せた後、背面側に傾けて積む場合、次段のパネル本体１ａに側方に突出して備えられた第２の係合部材３ｂ，３ｂをパネル本体１ａから取り外す、もしくは、その端部を回動して側方から突出させないことで、次段のパネル本体１ａに備えられた第２の係合部材３ｂ，３ｂが、次段のパネル本体１ａの設置位置側方に既に載置されているパネル本体１ａと干渉すること無く、次段のパネル本体１ａを側端を揃えて上端が低い下方のパネル本体１ａ上に載置することができる。
【０１５２】
なお、上記の第３の実施形態においても、第１の実施形態と同様、各パネル１Ｓが図２０に示す一対の転倒防止部材７を備えているように、構成してもよい。この転倒防止部材７も、断面Ｌ字形状の鋼材から成り、一方の各端部がそれぞれパネル本体１ａの左側方，右側方に突出し、他方の各端部がパネル本体１ａの背面にボルト８によって固定されている。転倒防止部材７は、各パネル１Ｓが積み上げられた後に各パネル１Ｓが前面側へ倒れるのを防止する。従って、この構成によっても、転倒防止部材７を備えた第１の実施形態と同様な作用効果が奏される。
【０１５３】
また、上記の第３の実施形態においても、長方形状をしたパネル本体１ａに限らず、逆凸状をしたパネル本体１ｃ（図４参照）や、凸状をしたパネル本体１ｅ（図６参照）、これらを上下につなげた形状をしたパネル本体１ｇ（図８参照）などを用いて、これらの側端上方において左側方，右側方に突出する第１の係合部材２ａ，２ａと、側端下方において左側方，右側方に突出する第２の係合部材３ｂ，３ｂとを備えるように構成してもよい。このような構成によっても、上記の第３の実施形態と同様な作用効果が奏される。
【０１５４】
次に、本発明による壁面構築方法および壁面構造の第４の実施の形態について説明する。
【０１５５】
上記の第１〜第３の各実施形態におけるパネル１Ａ，１Ｃ，１Ｅ，１Ｇ，１Ｊ，１Ｍ，１Ｏ，１Ｑ，１Ｓは、一方の各端部がそれぞれパネル本体１ａ，１ｃ，１ｅ，１ｇの下方に突出する第２の係合部材３ａ，３ａ、または側方に突出する第２の係合部材３ｂ，３ｂにより、パネル本体１ａ，１ｃ，１ｅ，１ｇの下端が前面側へ迫り出すのを防止した場合について説明した。
【０１５６】
しかし、第４の実施形態におけるパネル１Ｕは、図２１に示す、パネル本体１ｕの下端に溝状に設けられた凹状係合部２１およびパネル本体１ｕの上端に突状に設けられた凸状係合部２２により、パネル本体１ｕの下端が前面側へ迫り出すのを防止する。同図（ａ）、（ｂ）、（ｃ）および（ｄ）は、パネル１Ｕの正面図、側面図、背面図および平面図であり、同図において図１と同一部分には同一符号を付してその説明は省略する。
【０１５７】
つまり、パネル１Ｕでは、既に積まれた下方のパネル本体１ｕの上端に設けられた凸状係合部２２と、積み上げられる上方のパネル本体１ｕの下端に設けられた凹状係合部２１とが係合して、積み上げられる上方のパネル本体１ｕの下端が前面側へ迫り出すのが抑えられる。また、パネル１Ｕは、第１の実施形態と同様に第１の係合部材２ａ，２ａをパネル本体１ｕに備える。この第１の係合部材２ａ，２ａは、側方に突出した端部が側方に積み上げられるパネル本体１ｕの背面に当接して、積み上げられるパネル本体１ｕの背面側へ倒れる力を支える。
【０１５８】
図２２は、図２１に示すパネル１Ｕを第４の実施形態の壁面構築方法によって複数段積み上げて構築して行く過程における壁面構造の背面図である。なお、同図において図２１と同一部分には同一符号を付してその説明は省略する。
【０１５９】
壁面は、各パネル１Ｕの側端が上段と下段とで揃えられるイモ積み方式で、垂直または斜めに各パネル１Ｕが複数段積み上げられて、構築される。構築されると、壁面を構成する各パネル本体１ｕの前面は面一になる。
【０１６０】
最下段には半物サイズのパネル１Ｖが使われている。このパネル１Ｖは、図２１に示すパネル１Ｕのパネル本体１ｕが第１の係合部材２ａ，２ａを備える上半分にされたパネル本体１ｖから成り、パネル本体１ｖの高さがパネル本体１ｕの高さの半分にされている。また、最下段のパネル１Ｕ１には、側方の半物サイズのパネル１Ｖの第１の係合部材２ａ，２ａと対応する高さ位置において、アンカーボルト４がパネル本体１ｕの背面に埋め込まれたインサートナット５に螺合して、パネル本体１ｕの背面から突出している。
【０１６１】
壁面の構築に際し、最初に、最下段のパネル１Ｕ１およびパネル１Ｖが、上端の高さを交互に異ならせて、基礎１２上に複数横方向に揃えて並べられ、支保工などによって仮固定される。次に、最下段のパネル１Ｕ１およびパネル１Ｖの背面側に、低い各パネル１Ｖの上端付近の高さまで、コンクリート１３が打設される。打設されたこのコンクリート１３が硬化することにより、各パネル本体１ｕ，１ｖの背面から突出するアンカーボルト４がアンカーとなって、最下段のパネル１Ｕ１およびパネル１Ｖが固定されて動かなくなる。
【０１６２】
次に、上端の高さを交互に異ならせて複数横方向に並べられた最下段の一段目の各パネル１Ｕ１，１Ｖのうちの上端が低い各パネル１Ｖに、二段目のパネル１Ｕ２１が一段目のパネル１Ｖと側端を揃えて積み上げられ、積み上げられた二段目のパネル１Ｕ２１の上端が側方の一段目のパネル１Ｕ１の上端よりも高くされる。このパネル本体１ｕの積み上げは、壁面を垂直に構築する場合には、二段目のパネル１Ｕ２１のパネル本体１ｕを垂直に吊り上げ、上端が低い下方のパネル１Ｖの垂直に立つパネル本体１ｖとパネル面を平行にして、二段目のパネル１Ｕ２１のパネル本体１ｕを上端が低い下方のパネル１Ｖのパネル本体１ｖに積むことで、行われる。また、壁面を斜めに構築する場合には、二段目のパネル１Ｕ２１のパネル本体１ｕを斜めに吊り上げ、上端が低い下方のパネル１Ｖの斜めに傾くパネル本体１ｖとパネル面を平行にして積むか、もしくは、二段目のパネル１Ｕ２１のパネル本体１ｕをパネル面を垂直にして、パネル面が傾いた下方のパネル１Ｖのパネル本体１ｖの上端に乗せた後、背面側に傾けて積むことでも、行われる。
【０１６３】
この際、一段目の各パネル１Ｕ１に備えられた第１の係合部材２ａ，２ａは、側方に突出した端部が側方に積み上げられる二段目のパネル１Ｕ２１のパネル本体１ｕの背面に当接して、積み上げられる二段目のパネル１Ｕ２１の背面側へ倒れる力を支える。また、二段目のパネル１Ｕ２１のパネル本体１ｕの下端に設けられた凹状係合部２１が下方のパネル１Ｖのパネル本体１ｖの上端に設けられた凸状係合部２２と係合して、二段目のパネル１Ｕ２１のパネル本体１ｕの下端が前面側へ迫り出すのが抑えられる。従って、二段目のパネル１Ｕ２１は、積み上げられる際に、第１の係合部材２ａ，２ａと凹状係合部２１および凸状係合部２２とにより、下方の一段目のパネル１Ｖのパネル本体１ｖと側端が揃えられて、上端が低い一段目のパネル１Ｖ上に載置される。
【０１６４】
その後、各パネル１Ｕ１，１Ｕ２１の背面側に、上端が低い一段目の各パネル１Ｕ１の上端付近の高さまで、コンクリート１３が打設される。打設されたこのコンクリート１３が硬化することにより、各パネル本体１ｕの背面から突出するアンカーボルト４がアンカーとなって、二段目の各パネル１Ｕ２１が固定されて動かなくなる。
【０１６５】
次に、上端の高さを交互に異ならせて複数横方向に並べられた一段目および二段目の各パネル１Ｕ１，１Ｕ２１のうちの上端が低い一段目の各パネル１Ｕ１に、二段目のパネル１Ｕ２２が一段目のパネル１Ｕ１と側端を揃えて積み上げられ、積み上げられた二段目のパネル１Ｕ２２の上端が二段目の側方のパネル１Ｕ２１の上端よりも高くされる。このときも、パネル本体１ｕの積み上げは、二段目のパネル１Ｕ２１のパネル本体１ｕを上端が低い下方のパネル１Ｖのパネル本体１ｖに積むときと同様にして、行われる。
【０１６６】
この際、二段目の各パネル１Ｕ２１に備えられた第１の係合部材２ａ，２ａは、側方に突出した端部が側方に積み上げられる二段目のパネル１Ｕ２２のパネル本体１ｕの背面に当接して、積み上げられる二段目のパネル１Ｕ２２の背面側へ倒れる力を支える。また、二段目のパネル１Ｕ２２のパネル本体１ｕの下端に設けられた凹状係合部２１が下方のパネル１Ｕ１のパネル本体１ｕの上端に設けられた凸状係合部２２と係合して、二段目のパネル１Ｕ２２のパネル本体１ｕの下端が他面側へ迫り出すのが抑えられる。従って、二段目のパネル１Ｕ２２は、積み上げられる際に、第１の係合部材２ａ，２ａと凹状係合部２１および凸状係合部２２とにより、下方の一段目のパネル１Ｕ１のパネル本体１ｕと側端が揃えられて、上端が低い一段目のパネル１Ｕ１上に載置される。
【０１６７】
その後、各パネル１Ｕ２１，１Ｕ２２の背面側に、上端が低い二段目の各パネル１Ｕ２１の上端付近の高さまで、コンクリート１３が打設される。打設されたこのコンクリート１３が硬化することにより、各パネル本体１ｕの背面から突出するアンカーボルト４がアンカーとなって、二段目の各パネル１Ｕ２２が固定されて動かなくなる。
【０１６８】
次に、上端の高さを交互に異ならせて複数横方向に並べられた二段目の各パネル１Ｕ２１，１Ｕ２２のうちの上端が低い各パネル１Ｕ２１に、三段目のパネル１Ｕ３１が矢示するように二段目のパネル１Ｕ２１と側端を揃えて積み上げられ、積み上げられた三段目のパネル１Ｕ３１の上端が二段目の側方のパネル１Ｕ２２の上端よりも高くされる。その後、各パネル１Ｕ２２，１Ｕ３１の背面側に、上端が低い二段目の各パネル１Ｕ２２の上端付近の高さまでコンクリート１３が打設され、打設されたコンクリート１３が硬化することにより、三段目のパネル１Ｕ３１が固定されて動かなくなる。
【０１６９】
上記のように各パネル１Ｕは、積み上げられるパネル１Ｕの高さが所定の高さになるまでイモ積み方式で積み上げられ、上記の作業が繰り返される。パネル１Ｕの高さが所定の高さになると、最後に、上端の高さを交互に異ならせて複数横方向に並べられたパネル１Ｕのうちの上端が低いパネル１Ｕの上に、パネル１Ｕのパネル本体１ｕが第１の係合部材２ａ，２ａを備えない下半分にされた半物サイズのパネルが積み上げられて、壁面の上端が同じ高さに揃えられる。
【０１７０】
このようなパネル１Ｕを用いた第４の実施形態による壁面構築方法および壁面構造によっても、上述した第１の実施形態と同様な作用効果が奏される。すなわち、次段のパネル本体１ｕを側端を揃えて上端が低い下方のパネル本体１ｕ，１ｖ上に単に載置することで、パネル本体１ｕを垂直にまたは背面側に傾斜させて積み上げることが可能となり、従来行われた、隣接する各パネル１Ｕをボルトおよびナットで締結させる多大な手間の掛かる作業を行う必要がなくなって、壁面の構築作業の作業効率は著しく向上する。また、各パネル本体１ｕ，１ｖはボルト等で剛結されて一体化される構成ではない。このため、補強土工法等のフレキシブルな構造体の壁面に使用される場合、パネル本体１ｕ，１ｖは盛土等の沈下や変形に追従して動くことが可能であり、フレキシブルで耐久性が増した壁面を構築できる壁面構築方法および壁面構造が提供される。
【０１７１】
また、上記の第４の実施形態においては、パネル本体１ｕの下端に溝状に設けられた凹状係合部２１およびパネル本体１ｕの上端に突状に設けられた凸状係合部２２により、パネル本体１ｕの下端が前面側へ迫り出すのを防止した場合について説明したが、パネル本体１ｕの下端または上端のいずれか一方にのみ、これと接するパネル本体１ｕの上端または下端に係合する係合部を設けるように構成してもよい。また、図２３に示すパネル１Ｗのように、そのパネル本体１ｗの下端および上端に設けられた穴状係合部２３、および図２４に示すピン状部材２４により、パネル本体１ｗの下端が前面側へ迫り出すのを防止するように構成してもよい。図２３（ａ）、（ｂ）、（ｃ）および（ｄ）は、パネル１Ｗの正面図、側面図、背面図および平面図であり、同図において図２１と同一部分には同一符号を付してその説明は省略する。
【０１７２】
パネル１Ｗは、図２１に示すパネル１Ｕと比較し、凹状係合部２１および凸状係合部２２に代えて穴状係合部２３をパネル本体１ｗの下端および上端に備える点のみが相違し、パネル本体１ｃの側端上方において左側方，右側方に突出する第１の係合部材２ａ，２ａをパネル１Ｕと同様に備える。
【０１７３】
図２４は、図２３に示すパネル１Ｗを第４の実施形態の第１変形例の壁面構築方法によって複数段積み上げて構築して行く過程における壁面構造の背面図である。なお、同図において図２３と同一部分には同一符号を付してその説明は省略する。
【０１７４】
パネル１Ｕを用いた図２２に示す壁面と同様、最下段には半物サイズのパネル１Ｘが使われている。このパネル１Ｘは、図２３に示すパネル１Ｗのパネル本体１ｗが第１の係合部材２ａ，２ａを備える上半分にされたパネル本体１ｘから成り、パネル本体１ｘの高さがパネル本体１ｗの高さの半分にされている。また、最下段のパネル１Ｗ１には、側方の半物サイズのパネル１Ｘの第１の係合部材２ａ，２ａと対応する高さ位置において、アンカーボルト４がパネル本体１ｗの背面に埋め込まれたインサートナット５に螺合して、パネル本体１ｗの背面から突出している。
【０１７５】
最初に、最下段のパネル１Ｗ１およびパネル１Ｘが、上端の高さを交互に異ならせて、基礎１２上に複数横方向に揃えて並べられる。次に、最下段のパネル１Ｗ１およびパネル１Ｘの背面側に、低い各パネル１Ｘの上端付近の高さまで、コンクリート１３が打設される。打設されたこのコンクリート１３が硬化することにより、各パネル本体１ｗ，１ｘの背面から突出するアンカーボルト４がアンカーとなって、最下段のパネル１Ｗ１およびパネル１Ｘが固定されて動かなくなる。
【０１７６】
次に、上端の高さを交互に異ならせて複数横方向に並べられた最下段の一段目の各パネル１Ｗ１，１Ｘのうちの上端が低い各パネル１Ｘに、二段目のパネル１Ｗ２１が一段目のパネル１Ｘと側端を揃えて積み上げられる。この際、一段目のパネル１Ｘのパネル本体１ｘの上端に設けられた穴状係合部２３にピン状部材２４の下半分が予め差し込まれ、二段目のパネル１Ｗ２１のパネル本体１ｗの下端に設けられた穴状係合部２３にピン状部材２４の上半分が差し込まれる。積み上げられた二段目のパネル１Ｗ２１の上端は、側方の一段目のパネル１Ｗ１の上端よりも高くなる。
【０１７７】
このパネル本体１ｗの積み上げも、壁面を垂直に構築する場合には、二段目のパネル１Ｗ２１のパネル本体１ｗを垂直に吊り上げ、上端が低い下方のパネル１Ｘの垂直に立つパネル本体１ｘとパネル面を平行にして、二段目のパネル１Ｗ２１のパネル本体１ｗを上端が低い下方のパネル１Ｘのパネル本体１ｘに積むことで、行われる。また、壁面を斜めに構築する場合には、二段目のパネル１Ｗ２１のパネル本体１ｗを斜めに吊り上げ、上端が低い下方のパネル１Ｘの斜めに傾くパネル本体１ｘとパネル面を平行にして積むことで、行われる。または、パネル面が傾いた下方のパネル１Ｘのパネル本体１ｘの上端にピン状部材２４の下半分を予め差し込んでおき、二段目のパネル１Ｗ２１のパネル本体１ｗをパネル面を垂直にして、パネル面が傾いた下方のパネル１Ｘのパネル本体１ｘの上端に近付け、背面側に傾ける。そして、下方のパネル本体１ｘの上端に差し込まれたピン状部材２４の上半分を、上方のパネル本体１ｗ下端の穴状係合部２３に差し込んで、パネル本体１ｗをパネル本体１ｘに乗せて積むことでも、行われる。もしくは、二段目のパネル１Ｗ２１のパネル本体１ｗをパネル面を垂直にして、パネル面が傾いた下方のパネル１Ｘのパネル本体１ｘの上端に近付けて、下方のパネル本体１ｘの上端に差し込まれたピン状部材２４の一部を上方のパネル本体１ｗ下端の穴状係合部２３に差し込んでから、上方のパネル本体１ｗを傾けて積むことでも、行われる。もしくは、二段目のパネル１Ｗ２１のパネル本体１ｗをパネル面を垂直にして、パネル面が傾いた下方のパネル１Ｘのパネル本体１ｘの上端に乗せた後、上方のパネル本体１ｗを傾けながら、下方のパネル本体１ｘの上端に差し込まれたピン状部材２４を上方のパネル本体１ｗ下端の穴状係合部２３に差し込んで、積むことでも、行われる。
【０１７８】
この際、一段目の各パネル１Ｗ１に備えられた第１の係合部材２ａ，２ａは、側方に突出した端部が側方に積み上げられる二段目のパネル１Ｗ２１のパネル本体１ｗの背面に当接して、積み上げられる二段目のパネル１Ｗ２１の背面側へ倒れる力を支える。また、二段目のパネル１Ｗ２１のパネル本体１ｗ下端に設けられた穴状係合部２３に、下方のパネル１Ｘのパネル本体１ｘの上端に差し込まれたピン状部材２４が差し込まれることで、二段目のパネル１Ｗ２１のパネル本体１ｗの下端が前面側へ迫り出すのが抑えられる。従って、二段目のパネル１Ｗ２１は、積み上げられる際に、第１の係合部材２ａ，２ａと穴状係合部２３およびピン状部材２４とにより、下方の一段目のパネル１Ｘのパネル本体１ｘと側端が揃えられて、上端が低い一段目のパネル１Ｘ上に載置される。
【０１７９】
その後、各パネル１Ｗ１，１Ｗ２１の背面側に、上端が低い一段目の各パネル１Ｗ１の上端付近の高さまで、コンクリート１３が打設される。打設されたこのコンクリート１３が硬化することにより、各パネル本体１ｗの背面から突出するアンカーボルト４がアンカーとなって、二段目の各パネル１Ｗ２１が固定されて動かなくなる。
【０１８０】
次に、上端の高さを交互に異ならせて複数横方向に並べられた一段目および二段目の各パネル１Ｗ１，１Ｗ２１のうちの上端が低い一段目の各パネル１Ｗ１に、二段目のパネル１Ｗ２２が一段目のパネル１Ｗ１と側端を揃えて積み上げられ、積み上げられた二段目のパネル１Ｗ２２の上端が二段目の側方のパネル１Ｗ２１の上端よりも高くされる。このときも、パネル本体１ｗの積み上げは、二段目のパネル１Ｗ２１のパネル本体１ｗを上端が低い下方のパネル１Ｘのパネル本体１ｘに積むときと同様にして、行われる。
【０１８１】
この際、二段目の各パネル１Ｗ２１に備えられた第１の係合部材２ａ，２ａは、側方に突出した端部が側方に積み上げられる二段目のパネル１Ｗ２２のパネル本体１ｗの背面に当接して、積み上げられる二段目のパネル１Ｗ２２の背面側へ倒れる力を支える。また、二段目のパネル１Ｗ２２のパネル本体１ｗの下端に設けられた穴状係合部２３に、下方のパネル１Ｗ１のパネル本体１ｗの上端に差し込まれたピン状部材２４が差し込まれることで、二段目のパネル１Ｗ２２のパネル本体１ｗの下端が前面側へ迫り出すのが抑えられる。従って、二段目のパネル１Ｗ２２は、積み上げられる際に、第１の係合部材２ａ，２ａと穴状係合部２３およびピン状部材２４とにより、下方の一段目のパネル１Ｗ１のパネル本体１ｗと側端が揃えられて、上端が低い一段目のパネル１Ｗ１上に載置される。
【０１８２】
その後、各パネル１Ｗ２１，１Ｗ２２の背面側に、上端が低い二段目の各パネル１Ｗ２１の上端付近の高さまで、コンクリート１３が打設される。打設されたこのコンクリート１３が硬化することにより、各パネル本体１ｗの背面から突出するアンカーボルト４がアンカーとなって、二段目の各パネル１Ｗ２２が固定されて動かなくなる。
【０１８３】
次に、上端の高さを交互に異ならせて複数横方向に並べられた二段目の各パネル１Ｗ２１，１Ｗ２２のうちの上端が低い各パネル１Ｗ２１に、三段目のパネル１Ｗ３１が矢示するように二段目のパネル１Ｗ２１と側端を揃えて積み上げられ、積み上げられた三段目のパネル１Ｗ３１の上端が二段目の側方のパネル１Ｗ２２の上端よりも高くされる。その後、各パネル１Ｗ２２，１Ｗ３１の背面側に、上端が低い二段目の各パネル１Ｗ２２の上端付近の高さまでコンクリート１３が打設され、打設されたコンクリート１３が硬化することにより、三段目のパネル１Ｗ３１が固定されて動かなくなる。
【０１８４】
上記のように各パネル１Ｗは、積み上げられるパネル１Ｗの高さが所定の高さになるまでイモ積み方式で積み上げられ、上記の作業が繰り返される。パネル１Ｗの高さが所定の高さになると、最後に、上端の高さを交互に異ならせて複数横方向に並べられたパネル１Ｗのうちの上端が低いパネル１Ｗの上に、パネル１Ｗのパネル本体１ｗが第１の係合部材２ａ，２ａを備えない下半分にされた半物サイズのパネルが積み上げられて、壁面の上端が同じ高さに揃えられる。
【０１８５】
このようなパネル１Ｗを用いた第４の実施形態の第１変形例による壁面構築方法および壁面構造によっても、上述した第１の実施形態と同様な作用効果が奏される。
【０１８６】
なお、上記の第４の実施形態および第４の実施形態の第１変形例においても、長方形状をしたパネル本体１ｕ、１ｗに限らず、逆凸状をしたパネル本体１ｃ（図４参照）や、凸状をしたパネル本体１ｅ（図６参照）、これらを上下につなげた形状をしたパネル本体１ｇ（図８参照）などの下端に溝状に凹状係合部２１、上端に突状に凸状係合部２２を設けたり、下端および上端にピン状部材２４が差し込まれる穴状係合部２３を設けるように構成してもよい。このような構成によっても、上記の第４の実施形態および第４の実施形態の第１変形例と同様な作用効果が奏される。
【０１８７】
また、上述した第１〜第４の実施形態においては、第１の係合部材２ａ，２ａ、２ｂ，２ｂおよび第２の係合部材３ａ，３ａ、３ｂ，３ｂをパネル本体１ａ〜１ｈ，１ｕ〜１ｘの背面に隙間無く取り付けた場合について説明した。しかし、図２５に示すパネル１Ｙのように、パネル本体１ａの背面に第１の係合部材２ｂ，２ｂおよび第２の係合部材３ｂ，３ｂを所定の間隔をあけて、取り付けるように構成してもよい。同図（ａ）、（ｂ）、（ｃ）および（ｄ）は、パネル１Ｙの正面図、側面図、背面図および平面図であり、同図において図１０と同一部分には同一符号を付してその説明は省略する。
【０１８８】
パネル１Ｙは、図１０に示す第２の実施形態のパネル１Ｊと比較し、第１の係合部材２ｂ，２ｂおよび第２の係合部材３ｂ，３ｂの他方の各端部が、当接するパネル本体１ａと所定の間隔があくように設けられている点が相違する。この所定の間隔は、第１の係合部材２ｂ，２ｂおよび第２の係合部材３ｂ，３ｂのパネル本体１ａに取り付けられる各取付面と、取り付けられるパネル本体１ａの背面との間に、調整材３１が介挿されることで、あけられており、調整材３１の厚さを選択することで、所定の間隔を調整することが出来る。また、第１の係合部材２ｂ，２ｂおよび第２の係合部材３ｂ，３ｂは、アンカーボルト４およびナット６によってパネル本体１ａに着脱自在に取り付けられている点は、第２の実施形態のパネル１Ｊと同様である。
【０１８９】
また、パネル１Ｙは、第１の係合部材２ｂ，２ｂおよび第２の係合部材３ｂ，３ｂの上方および側方に突出する一方の各端部が、当接するパネル本体１ａ側に出し入れ自在な調整治具３２を介して、隣接するパネル本体１ａに当接する点も、第２の実施形態のパネル１Ｊと相違する。調整治具３２は、ボルトから成り、第１の係合部材２ｂ，２ｂおよび第２の係合部材３ｂ，３ｂの突出する端部側の穴に溶接されたナット３３に螺合することで、当接するパネル本体１ａ側に出し入れ自在に構成されている。なお、ナット３３を溶接すること無く、第１の係合部材２ｂ，２ｂおよび第２の係合部材３ｂ，３ｂの突出する端部側の穴に雌ねじを直接切って、調整治具３２をこの雌ねじに直接螺合させるように構成してもよい。
【０１９０】
また、第１の係合部材２ｂ，２ｂは、パネル本体１ａとのアンカーボルト４による取付箇所よりも、突出する端部の反対側に離れた一端に、パネル本体１ａの背面に当接する支点がボルト３４によって設けられている。このボルト３４は、第１の係合部材２ｂ，２ｂの一端にあけられた穴に溶接されたナット３５に螺合することで、当接するパネル本体１ａ側に出し入れ自在に構成されている。なお、このナット３５も、溶接すること無く、第１の係合部材２ｂ，２ｂの一端の穴に雌ねじを直接切って、ボルト３４をこの雌ねじに直接螺合させるように構成してもよい。
【０１９１】
図２６は、図２５に示すパネル１Ｙを第２の実施形態の第４変形例の壁面構築方法によって複数段積み上げて構築して行く過程における壁面構造の背面図である。なお、同図において図２５と同一部分には同一符号を付してその説明は省略する。
【０１９２】
壁面は、各パネル１Ｙの側端が上段と下段とで揃えられるイモ積み方式で、垂直または斜めに各パネル１Ｙが複数段積み上げられて、構築される。構築されると、壁面を構成する各パネル本体１ａの前面は面一になる。
【０１９３】
最下段には半物サイズのパネル１Ｚが使われている。このパネル１Ｚは、図２５に示すパネル１Ｙのパネル本体１ａが第１の係合部材２ｂ，２ｂを備える上半分にされたパネル本体１ｂから成り、パネル本体１ｂの高さがパネル本体１ａの高さの半分にされて、第２の係合部材３ｂ，３ｂを備えていない。また、各パネル１Ｙおよび１Ｚの第１の係合部材２ｂ，２ｂおよび第２の係合部材３ｂ，３ｂに設けられた調整治具３２は、各パネル１Ｙおよび１Ｚが積まれる前には、その先端がパネル前面側へ突出しないようにその出し入れが調整されている、もしくは、取り付けられていない。
【０１９４】
最初に、最下段のパネル１Ｙ１およびパネル１Ｚが、上端の高さを交互に異ならせて、基礎１２上に複数横方向に揃えて並べられる。そして、パネル１Ｙ１の下端側方に突出する第２の係合部材３ｂ，３ｂに設けられた調整治具３２の先端が、パネル前面側へ突出するようにその出し入れが調整されて、側方にあるパネル１Ｚのパネル本体１ｂの背面に当接される。次に、最下段のパネル１Ｙ１およびパネル１Ｚの背面側に、低い各パネル１Ｚの上端付近の高さまで、コンクリート１３が打設される。打設されたこのコンクリート１３が硬化することにより、各パネル本体１ａ，１ｂの背面から突出するアンカーボルト４がアンカーとなって、最下段のパネル１Ｙ１およびパネル１Ｚが固定されて動かなくなる。
【０１９５】
次に、上端の高さを交互に異ならせて複数横方向に並べられた最下段の一段目の各パネル１Ｙ１，１Ｚのうちの上端が低い各パネル１Ｚに、二段目のパネル１Ｙ２１が一段目のパネル１Ｚと側端を揃えて積み上げられ、二段目のパネル１Ｙ２１の上端が側方の一段目のパネル１Ｙ１の上端よりも高くされる。このパネル本体１ａの積み上げは、壁面を垂直に構築する場合には、二段目のパネル１Ｙ２１のパネル本体１ａを垂直に吊り上げ、上端が低い下方のパネル１Ｚの垂直に立つパネル本体１ｂとパネル面を平行にして積むことで、行われる。
【０１９６】
また、壁面を斜めに構築する場合には、二段目のパネル１Ｙ２１のパネル本体１ａを斜めに吊り上げ、上端が低い下方のパネル１Ｚの斜めに傾くパネル本体１ｂとパネル面を平行にして積むか、または、側方に突出する第２の係合部材３ｂ，３ｂを取り付けていない、もしくは、その端部を回動して側方から突出させていない二段目のパネル１Ｙ２１のパネル本体１ａを、パネル面を垂直にして、パネル面が傾いた下方のパネル１Ｚのパネル本体１ｂの上端に乗せた後、背面側に傾けて積むことで、行われる。取り外した、もしくは、端部を回動させた第２の係合部材３ｂ，３ｂは、既に載置されている一段目のパネル１Ｙ１のパネル本体１ａと干渉しなくなった後、パネル本体１ａに取り付けられる、もしくは、端部が元の位置に回動させられる。
【０１９７】
その後、下方のパネル１Ｚから上方に突出する第１の係合部材２ｂ，２ｂに設けられた調整治具３２の各先端が、パネル前面側へ突出するようにその出し入れが調整されて、積み上げられたパネル１Ｙ２１のパネル本体１ａの背面に当接される。また、パネル１Ｙ２１から側方に突出する第２の係合部材３ｂ，３ｂに設けられた調整治具３２の各先端が、パネル前面側へ突出するようにその出し入れが調整されて、側方のパネルＹ１のパネル本体１ａの背面に当接される。
【０１９８】
この際、一段目の各パネル１Ｚに備えられた第１の係合部材２ｂ，２ｂは、上方に突出した端部が上方に積み上げられる二段目のパネル１Ｙ２１のパネル本体１ａの背面に調整治具３２を介して当接し、積み上げられる二段目のパネル１Ｙ２１の背面側へ倒れる力を支える。また、二段目のパネル１Ｙ２１に備えられた第２の係合部材３ｂ，３ｂは、側方に突出した端部が既に積まれた側方の一段目のパネル１Ｙ１のパネル本体１ａの背面に調整治具３２を介して当接し、下端が前面側へ迫り出すのを抑える。従って、二段目のパネル１Ｙ２１は、積み上げられる際に、第１の係合部材２ｂ，２ｂと第２の係合部材３ｂ，３ｂと調整治具３２とにより、下方の一段目のパネル１Ｚのパネル本体１ｂと側端が揃えられて、上端が低い一段目のパネル１Ｚ上に載置される。
【０１９９】
その後、各パネル１Ｙ１，１Ｙ２１の背面側に、上端が低い一段目の各パネル１Ｙ１の上端付近の高さまで、コンクリート１３が打設される。打設されたこのコンクリート１３が硬化することにより、各パネル本体１ａの背面から突出するアンカーボルト４がアンカーとなって、二段目の各パネル１Ｙ２１が固定されて動かなくなる。
【０２００】
次に、上端の高さを交互に異ならせて複数横方向に並べられた一段目および二段目の各パネル１Ｙ１，１Ｙ２１のうちの上端が低い一段目の各パネル１Ｙ１に、二段目のパネル１Ｙ２２が一段目のパネル１Ｙ１と側端を揃えて積み上げられ、積み上げられた二段目のパネル１Ｙ２２の上端が二段目の側方のパネル１Ｙ２１の上端よりも高くされる。このときも、パネル本体１ａの積み上げは、一段目のパネル１Ｚに二段目のパネル１Ｙ２１を積み上げるときと同様にして行われる。
【０２０１】
その後、下方のパネル１Ｙ１から上方に突出する第１の係合部材２ｂ，２ｂに設けられた調整治具３２の各先端が、パネル前面側へ突出するようにその出し入れが調整されて、積み上げられたパネル１Ｙ２２のパネル本体１ａの背面に当接される。また、パネル１Ｙ２２から側方に突出する第２の係合部材３ｂ，３ｂに設けられた調整治具３２の各先端が、パネル前面側へ突出するようにその出し入れが調整されて、側方のパネルＹ２１のパネル本体１ａの背面に当接される。
【０２０２】
この際、一段目の各パネル１Ｙ１に備えられた第１の係合部材２ｂ，２ｂは、上方に突出した端部が上方に積み上げられる二段目のパネル１Ｙ２２のパネル本体１ａの背面に調整治具３２を介して当接し、積み上げられる二段目のパネル１Ｙ２２の背面側へ倒れる力を支える。また、二段目のパネル１Ｙ２２に備えられた第２の係合部材３ｂ，３ｂは、側方に突出した端部が既に積まれた側方の二段目のパネル１Ｙ２１のパネル本体１ａの背面に調整治具３２を介して当接し、下端が前面側へ迫り出すのを抑える。従って、二段目のパネル１Ｙ２２は、積み上げられる際に、第１の係合部材２ｂ，２ｂと第２の係合部材３ｂ，３ｂと調整治具３２とにより、下方の一段目のパネル１Ｙ１のパネル本体１ａと側端が揃えられて、上端が低い一段目のパネル１Ｙ１上に載置される。
【０２０３】
その後、各パネル１Ｙ２１，１Ｙ２２の背面側に、上端が低い二段目の各パネル１Ｙ２１の上端付近の高さまで、コンクリート１３が打設される。打設されたこのコンクリート１３が硬化することにより、各パネル本体１ａの背面から突出するアンカーボルト４がアンカーとなって、二段目の各パネル１Ｙ２２が固定されて動かなくなる。
【０２０４】
次に、上端の高さを交互に異ならせて複数横方向に並べられた二段目の各パネル１Ｙ２１，１Ｙ２２のうちの上端が低い各パネル１Ｙ２１に、三段目のパネル１Ｙ３１が矢示するように二段目のパネル１Ｙ２１と側端を揃えて積み上げられ、積み上げられた三段目のパネル１Ｙ３１の上端が二段目の側方のパネル１Ｙ２２の上端よりも高くされる。そして、下方のパネル１Ｙ２１から上方に突出する第１の係合部材２ｂ，２ｂに設けられた調整治具３２の各先端が、パネル前面側へ突出するようにその出し入れが調整されて、積み上げられたパネルＹ３１のパネル本体１ａの背面に当接される。また、パネル１Ｙ３１から側方に突出する第２の係合部材３ｂ，３ｂに設けられた調整治具３２の各先端が、パネル前面側へ突出するようにその出し入れが調整されて、側方のパネルＹ２２のパネル本体１ａの背面に当接される。その後、各パネル１Ｙ２２，１Ｙ３１の背面側に、上端が低い二段目の各パネル１Ｙ２２の上端付近の高さまで、コンクリート１３が打設され、打設されたコンクリート１３が硬化することにより、三段目のパネル１Ｙ３１が固定されて動かなくなる。
【０２０５】
上記のように各パネル１Ｙは、積み上げられるパネル１Ｙの高さが所定の高さになるまでイモ積み方式で積み上げられ、上記の作業が繰り返される。パネル１Ｙの高さが所定の高さになると、最後に、上端の高さを交互に異ならせて複数横方向に並べられたパネル１Ｙのうちの上端が低いパネル１Ｙの上に、パネル１Ｙのパネル本体１ａが第２の係合部材３ｂ，３ｂを備える下半分にされた半物サイズのパネルが積み上げられて、壁面の上端が同じ高さに揃えられる。ここで、最上段のパネル１Ｙには、上方に突出する第１の係合部材２ｂ，２ｂは取り付けられない。
【０２０６】
このようなパネル１Ｙを用いた第２の実施形態の第４変形例による壁面構築方法および壁面構造によっても、上述した第１の実施形態と同様な作用効果が奏される。
【０２０７】
さらに、本変形例によれば、第１の係合部材２ｂ，２ｂおよび第２の係合部材３ｂ，３ｂの上方および側方に突出する端部が、当接するパネル本体１ａ，１ｂの背面と所定の間隔があくように設けられている。従って、次段のパネル本体１ａを側端を揃えて上端が低い下方のパネル本体１ａ，１ｂ上に載置する際、第１の係合部材２ｂ，２ｂおよび第２の係合部材３ｂ，３ｂの突出する各端部とこれに当接するパネル本体１ａとの間に隙間が確保されるので、次段のパネル本体１ａは、第１の係合部材２ｂ，２ｂおよび第２の係合部材３ｂ，３ｂの突出する各端部がこれに当接するパネル本体１ａと干渉することは無い。このため、特に、次段のパネル本体１ａを上端が低い下方のパネル本体１ａ，１ｂとパネル面を平行にして積む場合、次段のパネル本体１ａを下方のパネル本体１ａ，１ｂ上にスムーズに移動させることができ、壁面の構築作業の作業効率はさらに向上する。
【０２０８】
また、本変形例によれば、第１の係合部材２ｂ，２ｂおよび第２の係合部材３ｂ，３ｂは、パネル本体１ａ，１ｂに取り付けられる取付面と取り付けられるパネル本体１ａ，１ｂとの間に所定の間隔を調整する調整材３１が介挿されて、パネル本体１ａ，１ｂに着脱自在に取り付けられている。従って、介挿される調整材３１の厚さが選択されることで、第１の係合部材２ｂ，２ｂおよび第２の係合部材３ｂ，３ｂの各端部とこれに当接するパネル本体１ａとの間にあく所定の間隔が、各端部とこれに当接するパネル本体１ａとが干渉すること無く、かつ、積み上げ作業の行いやすい間隔に、調整される。
【０２０９】
また、本変形例によれば、第１の係合部材２ｂ，２ｂおよび第２の係合部材３ｂ，３ｂは、当接するパネル本体１ａ側に出し入れ自在な調整治具３２を介して端部がパネル本体１ａに当接している。従って、当接するパネル本体１ａ側に調整治具３２が突出しないようにその出し入れを調整することで、第１の係合部材２ｂ，２ｂおよび第２の係合部材３ｂ，３ｂの各端部とこれに当接するパネル本体１ａとの間に所定の間隔を確保して、次段のパネル本体１ａを側端を揃えて上端が低い下方のパネル本体１ａ，１ｂ上にスムーズに載置することができる。そして、パネル本体１ａの載置後、当接するパネル本体１ａ側に調整治具３２が突出するようにその出し入れを調整することで、第１の係合部材２ｂ，２ｂおよび第２の係合部材３ｂ，３ｂの各端部を調整治具３２を介してパネル本体１ａに当接させることができる。また、調整治具３２の当接するパネル本体１ａ側への出し入れ量を調整することで、パネル本体１ａの傾きを調整することができる。
【０２１０】
なお、上記の本変形例において、ボルトから成る調整治具３２を使わず、断面三角形状の板材から成るくさびや、断面矩形状の板状部材などを支持治具として用い、第１の係合部材２ｂ，２ｂおよび第２の係合部材３ｂ，３ｂの突出する各端部とパネル本体１ａとの間にこの支持治具を挿し込んだり挟み込んで、突出する各端部をパネル本体１ａの背面に当接させるように構成してもよい。この構成によれば、パネル本体１ａの載置後、第１の係合部材２ｂ，２ｂおよび第２の係合部材３ｂ，３ｂの突出する各端部とパネル本体１ａとの間に上記支持治具を挿し込みまたは挟み込み、各端部を支持治具を介してパネル本体１ａに当接させることで、各端部とこれに当接するパネル本体１ａとの間に所定の間隔を確保して、次段のパネル本体１ａを側端を揃えて上端が低い下方のパネル本体１ａ，１ｂ上にスムーズに載置することができる。
【０２１１】
また、くさびを支持治具にする場合には、第１の係合部材２ｂ，２ｂおよび第２の係合部材３ｂ，３ｂの突出する各端部とパネル本体１ａとの間にこのくさびを挿し込む量を調整することで、各端部をパネル本体１ａに当接させると共に、パネル本体１ａの傾きを調整することが出来る。また、板状部材を支持治具にする場合には、第１の係合部材２ｂ，２ｂおよび第２の係合部材３ｂ，３ｂの突出する各端部とパネル本体１ａとの間に挟み込むこの板状部材の厚さを調整することで、各端部をパネル本体１ａに当接させると共に、パネル本体１ａの傾きを調整することが出来る。
【０２１２】
また、本変形例によれば、第１の係合部材２ｂ，２ｂは、パネル本体１ａ，１ｂとのアンカーボルト４による取付箇所よりも、突出する端部の反対側に離れた一端に、パネル本体１ａ，１ｂの背面に当接する支点がボルト３４によって設けられている。従って、パネル本体１ａ，１ｂの前面側から荷重がかかり、パネル本体１ａの背面側へ倒れる力を支える第１の係合部材２ｂ，２ｂの端部側に負荷がかかっても、第１の係合部材２ｂ，２ｂの一端に設けられたボルト３４によって構成される支点が、アンカーボルト４による取付箇所を挟む反対側でパネル本体１ａ，１ｂの背面に当接することにより、この負荷がパネル本体１ａ，１ｂの背面に当接する支点でも受けられる。このため、第１の係合部材２ｂ，２ｂの突出する端部側にかかる負荷は、第１の係合部材２ｂ，２ｂの取付箇所と第１の係合部材２ｂ，２ｂの一端に設けられた支点とで支えられ、アンカーボルト４による取付箇所のみで第１の係合部材２ｂ，２ｂがパネル本体１ａ，１ｂに固定されている場合に比べて、第１の係合部材２ｂ，２ｂはぐらつくことなく確実にパネル本体１ａ，１ｂに固定される。
【０２１３】
なお、上記の本変形例において、第２の係合部材３ｂ，３ｂについても、パネル本体１ａとのアンカーボルト４による取付箇所よりも、突出する端部の反対側に離れた一端に、パネル本体１ａの背面に当接する支点をボルト３４などによって設けるようにしてもよい。この構成では、パネル本体１ａの下端が前面側へ迫り出す荷重がかかり、その迫り出しを抑える第２の係合部材３ｂ，３ｂの端部側に負荷がかかっても、第２の係合部材３ｂ，３ｂの一端に設けられた支点が、アンカーボルト４による取付箇所を挟む反対側でパネル本体１ａの背面に当接することにより、この負荷がパネル本体１ａの背面に当接する支点でも受けられる。このため、第２の係合部材３ｂ，３ｂの突出する端部側にかかる負荷は、第２の係合部材３ｂ，３ｂの取付箇所と第２の係合部材３ｂ，３ｂの一端に設けられた支点とで支えられ、アンカーボルト４による取付箇所のみで第２の係合部材３ｂ，３ｂがパネル本体１ａに固定されている場合に比べて、第２の係合部材３ｂ，３ｂはぐらつくことなく確実にパネル本体１ａに固定される。
【０２１４】
また、本変形例では、支点をボルト３４によって構成する場合について説明したが、断面三角形状の板材から成るくさびや、断面矩形状の板状部材を、第１の係合部材２ｂ，２ｂや第２の係合部材３ｂ，３ｂの一端とパネル本体１ａの背面との間に挿し込んだり挟み込んで、支点を構成するようにしてもよい。また、第１の係合部材２ｂ，２ｂや第２の係合部材３ｂ，３ｂの一端を折り曲げ、この折り曲げ部をパネル本体１ａの背面に当接させて、支点を構成するようにしてもよい。
【０２１５】
また、本変形例では、長方形状をしたパネル本体１ａに第１の係合部材２ｂ，２ｂおよび第２の係合部材３ｂ，３ｂを所定の間隔をあけて取り付けた場合について説明した。しかし、長方形状をしたパネル本体１ａに限らず、逆凸状をしたパネル本体１ｃ（図４参照）や、凸状をしたパネル本体１ｅ（図６参照）、これらを上下につなげた形状をしたパネル本体１ｇ（図８参照）などにも同様にして、第１の係合部材２ｂ，２ｂおよび第２の係合部材３ｂ，３ｂを所定の間隔をあけて取り付け、必要な場合は上記の支点を設けるように構成してもよい。
【０２１６】
また、上記の第１〜第４の各実施の形態および各変形例では、壁面の背面側にコンクリート１３を打設し、パネル１Ａ〜１Ｈ、１Ｊ、１Ｋ、１Ｍ〜１Ｚを構成する各パネル本体１ａ〜１ｈ，１ｕ〜１ｘの背面に突出するアンカーボルト４をアンカーとして、各パネル本体１ａ〜１ｈ，１ｕ〜１ｘを固定した場合について説明した。
【０２１７】
しかし、各パネル１Ａ〜１Ｈ、１Ｊ、１Ｋ、１Ｍ〜１Ｚを盛土補強土壁の壁面に適用するようにしてもよい。図２７は、第１の実施形態による壁面構築方法および壁面構造をこの盛土補強土壁に適用した第１の実施形態の第４変形例を示す壁面構造の側断面図である。また、図２８はその壁面構造の背面図である。なお、図２７および図２８において、図１および図２と同一または相当する部分には同一符号を付してその説明は省略する。
【０２１８】
この盛土補強土壁では、パネル本体１ａ，１ｂは、盛土４１中に埋設される長尺の金属板などから成る盛土補強材４２により、盛土４１の側面に固定される。盛土補強材４２は、パネル本体１ａ，１ｂの背面に設けられた固定金具４３にボルト４４およびナット４５で一端部が締結されている。固定金具４３は、断面Ｌ字形状の金属板から成り、パネル本体１ａ，１ｂに曲げ部が埋め込まれ、端部がパネル本体１ａ，１ｂの背面から露出しており、露出したこの端部にボルト４４が挿通される穴があいている。盛土補強材４２は、盛土４１中に埋設されることで、パネル本体１ａ，１ｂを盛土４１の側面に固定する固定材、および盛土４１の強度を増す補強材として機能すると共に、パネル本体１ａ，１ｂが壁面の前面側へ倒れるのを防止する転倒防止部材としても機能する。
【０２１９】
また、第１の係合部材２ａ，２ａおよび第２の係合部材３ａ，３ａは、第１の実施形態における長いアンカーボルト４ではない通常のボルト４ａが、パネル本体１ａ，１ｂの背面に埋設されたインサートナット５に螺合することで、パネル本体１ａ，１ｂの背面に締結されて固定されている。ボルト４ａの頭部はアンカーボルト４のようにパネル本体１ａ，１ｂの背面に突出していない。
【０２２０】
上記の盛土補強土壁の構築に際し、最初に、最下段のパネル１Ａ１およびパネル１Ｂが、上端の高さを交互に異ならせて、砕石１１上の基礎１２上に複数横方向に揃えて並べられ、支保工などによって仮固定される。次に、最下段のパネル１Ａ１およびパネル１Ｂの背面側に、低い各パネル１Ｂの上端付近の高さＡ（図２７参照）まで盛土４１を形成する土が埋められて、これが締め固められる。この際、最下段のパネル１Ａ１の背面下方の固定金具４３およびパネル１Ｂの背面の固定金具４３に盛土補強材４２がボルト４４およびナット４５で取り付けられ、盛土補強材４２が盛土４１を形成する土中に埋設される。この盛土補強材４２により、最下段のパネル１Ａ１およびパネル１Ｂが固定されて、フレキシブルに支持される。
【０２２１】
次に、上端の高さを交互に異ならせて複数横方向に並べられた最下段の一段目の各パネル１Ａ１，１Ｂのうちの上端が低い各パネル１Ｂに、二段目のパネル１Ａ２１が一段目のパネル１Ｂと側端を揃えて積み上げられ、積み上げられた二段目のパネル１Ａ２１の上端が側方の一段目のパネル１Ａ１の上端よりも高くされる。このパネル本体１ａの積み上げは、第１の実施形態と同様に行われる。
【０２２２】
その後、各パネル１Ａ１，１Ａ２１の背面側に、上端が低い一段目の各パネル１Ａ１の上端付近の高さＢ（図２７参照）まで盛土４１を形成する土が埋められて、これが締め固められる。この際、最下段のパネル１Ａ１の背面上方の固定金具４３および二段目のパネル１Ａ２１の背面下方の固定金具４３に盛土補強材４２がボルト４４およびナット４５で取り付けられ、盛土補強材４２が盛土４１を形成する土中に埋設される。この盛土補強材４２により、二段目の各パネル１Ａ２１が固定されて、フレキシブルに支持される。
【０２２３】
次に、上端の高さを交互に異ならせて複数横方向に並べられた一段目および二段目の各パネル１Ａ１，１Ａ２１のうちの上端が低い一段目の各パネル１Ａ１に、二段目のパネル１Ａ２２が一段目のパネル１Ａ１と側端を揃えて積み上げられ、積み上げられた二段目のパネル１Ａ２２の上端が二段目の側方のパネル１Ａ２１の上端よりも高くされる。
【０２２４】
その後、各パネル１Ａ２１，１Ａ２２の背面側に、上端が低い二段目の各パネル１Ａ２１の上端付近の高さＣ（図２７参照）まで盛土４１を形成する土が埋められて、これが締め固められる。この際、二段目のパネル１Ａ２１の背面上方の固定金具４３および二段目のパネル１Ａ２２の背面下方の固定金具４３に盛土補強材４２がボルト４４およびナット４５で取り付けられ、盛土補強材４２が盛土４１を形成する土中に埋設される。この盛土補強材４２により、二段目の各パネル１Ａ２２が固定されて、フレキシブルに支持される。
【０２２５】
次に、上端の高さを交互に異ならせて複数横方向に並べられた二段目の各パネル１Ａ２１，１Ａ２２のうちの上端が低い各パネル１Ａ２１に、三段目のパネル１Ａ３１が二段目のパネル１Ａ２１と側端を揃えて積み上げられ、積み上げられた三段目のパネル１Ａ３１の上端が二段目の側方のパネル１Ａ２２の上端よりも高くされる。その後、各パネル１Ａ２２，１Ａ３１の背面側に、上端が低い二段目の各パネル１Ａ２２の上端付近の高さＤ（図２７参照）まで盛土４１を形成する土が埋められて、これが締め固められる。この際、二段目のパネル１Ａ２２の背面上方の固定金具４３および三段目のパネル１Ａ３１の背面下方の固定金具４３に盛土補強材４２がボルト４４およびナット４５で取り付けられ、盛土補強材４２が盛土４１を形成する土中に埋設される。この盛土補強材４２により、三段目のパネル１Ａ３１が固定されて、フレキシブルに支持される。
【０２２６】
上記のように各パネル１Ａは、積み上げられるパネル１Ａの高さが所定の高さになるまでイモ積み方式で積み上げられ、上記の作業が繰り返される。パネル１Ａの高さが所定の高さになると、最後に、上端の高さを交互に異ならせて複数横方向に並べられたパネル１Ａのうちの上端が低いパネル１Ａの上に、半物サイズのパネルが積み上げられて、壁面の上端が同じ高さに揃えられる。
【０２２７】
このような第１の実施形態の第４変形例による壁面構築方法および壁面構造によっても、上述した第１の実施形態と同様な作用効果が奏される。
【０２２８】
また、本変形例では、盛土４１の土圧が盛土補強材４２に加えられ、盛土補強材４２と盛土４１との間に生じる摩擦抵抗によって盛土補強材４２に引き抜き抵抗が持たされることで、盛土補強材４２に接続された各パネル１Ａが前面側へ倒れるのが防止される。また、パネル１Ａを垂直に積み上げる場合や、斜めに積む場合でも、パネル１Ａの自重が軽くて、パネル１Ａに盛土補強材４２を接続するまでの高さの盛土４１による背面側からの側圧に耐えられなくて、パネル１Ａの傾きを保てない場合には、図３に示すような転倒防止部材７等を併用する。
【０２２９】
さらに、各パネル本体１ａはボルト等で剛結されて一体化される構成ではないため、本変形例の補強土工法等のようにフレキシブルな構造体の壁面に使用される場合、パネル本体１ａの背後にある盛土４１等が沈下したり変形しても、パネル本体１ａはその沈下や変形に追従して動くことが可能である。従って、パネル１Ａどうしをボルト等で剛結させて一体化する従来の壁面のように、パネル１Ａの背後にある盛土４１等が沈下したり変形することで、壁面を構成する一部のパネル１Ａに大きな荷重が局所的にかかり、パネル１Ａが破損することもない。このため、フレキシブルで耐久性が増した壁面を構築できる壁面構築方法および壁面構造が提供される。
【０２３０】
また、上記の第１〜第４の各実施の形態および各変形例においてコンクリート構造物の擁壁に適用した各パネル１Ａ〜１Ｈ、１Ｊ、１Ｋ、１Ｍ〜１Ｚを、一度に大量のコンクリートが高く打設されて大きな側圧がかかる砂防ダムのような壁面に適用するようにしてもよい。図２９は、第１の実施形態による壁面構築方法および壁面構造をこの砂防ダムの壁面に適用した第１の実施形態の第５変形例を示す壁面構造の側断面図である。また、図３０はその壁面構造の背面図である。なお、図２９および図３０において、図１および図２と同一または相当する部分には同一符号を付してその説明は省略する。
【０２３１】
この砂防ダムの壁面では、第１の実施形態と同様、壁面の背面側にコンクリート１３が打設され、各パネル本体１ａ，１ｂの背面に突出するアンカーボルト４をアンカーとして、各パネル本体１ａ，１ｂが固定される。しかし、パネル本体１ａ，１ｂが前面側へ倒れるのを防止する転倒防止部材は、図３に示すパネル１Ａが備える一対の転倒防止部材７ではなく、鋼棒からなる転倒防止部材５１によって構成されている。各転倒防止部材５１は、一端が、パネル本体１ａの背面に突出するアンカーボルト４に溶接され、他端が、基礎１２に一部が埋め込まれたＵの字状の留め具５２に溶接されている。最下段のパネル１Ａ１および半物サイズのパネル１Ｂは、背面下方のアンカーボルト４が留め具５２に直接溶接されている。
【０２３２】
上記の砂防ダムの壁面の構築に際し、最初に、最下段のパネル１Ａ１およびパネル１Ｂが、上端の高さを交互に異ならせて、基礎１２上に複数横方向に揃えて並べられる。同時に、最下段のパネル１Ａ１およびパネル１Ｂの背面下方のアンカーボルト４が留め具５２に直接溶接されると共に、パネル１Ａ１の背面上方のアンカーボルト４と留め具５２との間に転倒防止部材５１が溶接される。この作業により、最下段のパネル１Ａ１およびパネル１Ｂの前面側への転倒が防止される。
【０２３３】
次に、上端の高さを交互に異ならせて複数横方向に並べられた最下段の一段目の各パネル１Ａ１，１Ｂのうちの、上端が低い各パネル１Ｂに二段目のパネル１Ａ２１が一段目のパネル１Ｂと側端を揃えて積み上げられ、積み上げられた二段目のパネル１Ａ２１の上端が側方の一段目のパネル１Ａ１の上端よりも高くされる。このパネル本体１ａの積み上げは、第１の実施形態と同様に行われる。その後、二段目のパネル１Ａ２１の背面下方のアンカーボルト４と留め具５２との間、および二段目のパネル１Ａ２１の背面上方のアンカーボルト４と留め具５２との間に転倒防止部材５１が溶接される。この作業により、二段目の各パネル１Ａ２１の前面側への転倒が防止される。
【０２３４】
次に、上端の高さを交互に異ならせて複数横方向に並べられた一段目および二段目の各パネル１Ａ１，１Ａ２１のうちの上端が低い一段目の各パネル１Ａ１に、二段目のパネル１Ａ２２が一段目のパネル１Ａ１と側端を揃えて積み上げられ、積み上げられた二段目のパネル１Ａ２２の上端が二段目の側方のパネル１Ａ２１の上端よりも高くされる。その後、二段目のパネル１Ａ２２の背面下方のアンカーボルト４と留め具５２との間、および二段目のパネル１Ａ２２の背面上方のアンカーボルト４と留め具５２との間に転倒防止部材５１が溶接される。この作業により、二段目の各パネル１Ａ２２の前面側への転倒が防止される。
【０２３５】
次に、上端の高さを交互に異ならせて複数横方向に並べられた二段目の各パネル１Ａ２１，１Ａ２２のうちの上端が低い各パネル１Ａ２１に、三段目のパネル１Ａ３１が二段目のパネル１Ａ２１と側端を揃えて積み上げられ、積み上げられた三段目のパネル１Ａ３１の上端が二段目の側方のパネル１Ａ２２の上端よりも高くされる。その後、三段目のパネル１Ａ３１の背面下方のアンカーボルト４と留め具５２との間、および三段目のパネル１Ａ３１の背面上方のアンカーボルト４と留め具５２との間に転倒防止部材５１が溶接される。この作業により、三段目のパネル１Ａ３１の前面側への転倒が防止される。
【０２３６】
次に、上端の高さを交互に異ならせて複数横方向に並べられた二段目および三段目の各パネル１Ａ２２，パネル１Ａ３１のうちの上端が低い二段目の各パネル１Ａ２２に、三段目のパネル１Ａ３２が二段目のパネル１Ａ２２と側端を揃えて積み上げられ、積み上げられた三段目のパネル１Ａ３２の上端が三段目の側方のパネル１Ａ３１の上端よりも高くされる。その後、三段目のパネル１Ａ３２の背面下方のアンカーボルト４と留め具５２との間、および三段目のパネル１Ａ３２の背面上方のアンカーボルト４と留め具５２との間に転倒防止部材５１が溶接される。この作業により、三段目のパネル１Ａ３２の前面側への転倒が防止される。
【０２３７】
その後、三段目のパネル１Ａ３１の上端付近までコンクリート１３が打設される。打設されたこのコンクリート１３が硬化することにより、各パネル本体１ａ，１ｂの背面に突出するアンカーボルト４がアンカーとなって、一段目から三段目の各段のパネル本体１ａ，１ｂが固定されて動かなくなる。
【０２３８】
上記のように各パネル１Ａは、積み上げられるパネル１Ａの高さが所定の高さになるまでイモ積み方式で例えば三段毎に積み上げられ、例えば三段毎にコンクリート１３が打設されて、上記の作業が繰り返される。この際、留め具５２は、打設されたコンクリート１３の表面に設けられる。パネル１Ａの高さが所定の高さになると、最後に、上端の高さを交互に異ならせて複数横方向に並べられたパネル１Ａのうちの、上端が低いパネル１Ａの上に半物サイズのパネルが積み上げられて、壁面の上端が同じ高さに揃えられる。
【０２３９】
このような第１の実施形態の第５変形例による壁面構築方法および壁面構造によっても、上述した第１の実施形態と同様な作用効果が奏される。
【０２４０】
さらに、本変形例では、転倒防止部材５１により、各パネル１Ａが積み上げられる際に、そして、積み上げられた後にも、各パネル１Ａが前面側へ倒れるのが防止される。転倒防止部材５１を用いた壁面が支えられる荷重は、転倒防止部材５１が壁面と基礎１２との間に設けられるため、パネル本体１ａの重量や厚さ、強度、並びに係合部材２ａ，２ａ、３ａ，３ａの強度に左右され難い。これに対して前述の転倒防止部材７を用いた壁面が支えられる荷重は、パネル本体１ａの積み上げる段数に応じた荷重が転倒防止部材７や係合部材２ａ，２ａ、３ａ，３ａにかかるので、パネル本体１ａの重量や厚さ、強度、並びに係合部材２ａ，２ａ、３ａ，３ａの強度に左右され易い。このため、本変形例によれば、パネル１Ａを垂直に積み上げる場合や、斜めに積む場合でも、パネル１Ａの自重が軽くて硬化する前のコンクリート１３等による背面側からの側圧に耐えられなくて、パネル１Ａの傾きを保てない場合であっても、転倒防止部材５１によってより大きな側圧が支えられるため、パネル本体１ａが前面側へ倒れることなく、より一層確実にパネル本体１ａを積み上げられる。また、本変形例のように、より多くのパネル本体１ａを確実かつ安全に複数段一度に積み上げられる。この結果、パネル本体１ａの積み上げ作業の作業効率および積み上げ作業における安全性は向上する。
【０２４１】
特に、本変形例の砂防ダムのように壁面の裏側に作業スペースが十分にある場合、パネル本体１ａ，１ｂと基礎１２との間に転倒防止部材５１を設けることができるため、壁面の裏側から大量のコンクリート１３等の充填材の大きな側圧が壁面にかかっても、転倒防止部材５１によって壁面が倒れないようにして、壁面が大きな側圧に対抗できる。従って、壁面の背面に一度に充填するコンクリート１３の量を増やすことができて、充填材を含む壁面構造全体を構築する作業時間を大幅に短縮することができる。
【０２４２】
また、上記の第１〜第４の各実施の形態および各変形例における各パネル１Ａ〜１Ｈ、１Ｊ、１Ｋ、１Ｍ〜１Ｚを、図３１に示すような両面仕様のコンクリート構造物の壁面に適用するようにしてもよい。同図は、第１の実施形態による壁面構築方法および壁面構造をこのコンクリート構造物の壁面に適用した第１の実施形態の第６変形例を示す壁面構造の側断面図である。なお、同図において、図１および図２と同一または相当する部分には同一符号を付してその説明は省略する。
【０２４３】
このコンクリート構造物の壁面では、第１の実施形態と同様な一対の壁面６１ａ，６１ｂが、互いの背面を対向させて、基礎１２上に構築されている。また、各壁面６１ａ，６１ｂの背面に埋め込まれたインサートナット５には、頭部のないアンカーボルト４ｂが螺合しており、対向するアンカーボルト４ｂには鋼棒から成る転倒防止部材６２の各端部が溶接されている。
【０２４４】
転倒防止部材６２は、パネル本体１ａ，１ｂが壁面６１ａ，６１ｂの各前面側へ倒れるのを防止する転倒防止部材を構成しており、壁面６１ａ，６１ｂの間にはコンクリート１３が打設されている。本変形例では、壁面６１ａ，６１ｂの各前面側へ倒れるのが転倒防止部材６２によって防止され、コンクリート１３は、例えば本変形例のようにパネル本体１ａが三段積まれる毎に打設される。
【０２４５】
このような第１の実施形態の第６変形例による壁面構築方法および壁面構造によっても、上述した第１の実施形態の第５変形例と同様な作用効果が奏される。
【０２４６】
また、上記の第１〜第４の各実施の形態および各変形例における各パネル１Ａ〜１Ｈ、１Ｊ、１Ｋ、１Ｍ〜１Ｚを、図３２に示すような老朽化した構造物７１の表面を補修する壁面に適用するようにしてもよい。同図は、第１の実施形態による壁面構築方法および壁面構造をこの壁面に適用した第１の実施形態の第７変形例を示す壁面構造の側断面図である。なお、同図において、図１、図２および図３と同一または相当する部分には同一符号を付してその説明は省略する。
【０２４７】
この壁面に用いられるパネル１Ａ，１Ｂは、第１の実施形態と逆仕様になっており、パネル本体１ａ，１ｂの前面に第１の係合部材２ａ，２ａおよび第２の係合部材３ａ，３ａが取り付けられている。また、第１の係合部材２ａ，２ａおよび第２の係合部材３ａ，３ａは、パネル本体１ａ，１ｂの前面に埋め込まれたインサートナット５に通常のボルト４ａが螺合することで、固定されている。また、各パネル本体１ａには、図３に示す場合と同様に、一対の転倒防止部材７がボルト８によって取り付けられている。この転倒防止部材７により、壁面の背面側へパネル本体１ａが倒れるのが防止されている。また、パネル１Ａ，１Ｂと老朽化した構造物７１との間にはコンクリート１３が打設されている。第１の係合部材２ａ，２ａおよび第２の係合部材３ａ，３ａ、並びに転倒防止部材７は、パネル本体１ａ，１ｂの背面に打設されたコンクリート１３が硬化した後順次、または、パネル本体１ａ，１ｂの積み上げおよびコンクリート１３の打設作業が全て終わった最後に、パネル本体１ａ，１ｂの前面から取り外される。
【０２４８】
このような第１の実施形態の第７変形例による壁面構築方法および壁面構造によっても、上述した第１の実施形態と同様な作用効果が奏される。また、本変形例のように、構造物７１の前面に壁面を構築することで、構造物７１の壁面の補修、化粧、断熱や、耐久性等を高めることができる。
【０２４９】
また、上記の各実施形態および各変形例では、盛土４１を壁面の背面に設ける第１の実施形態の第４変形例（図２７、図２８参照）を除き、壁面の背面にコンクリート１３を打設した場合について説明したが、必ずしもコンクリート１３を打設する必要は無く、第１の実施形態の第４変形例と同様に、盛土４１を壁面の背面に設けるように構成してもよい。さらに、壁面の背面に、例えば、軽量コンクリートや、グラウト材、土のう、かご枠などを設けるように構成してもよい。また、パネル本体１ａ，１ｂなどの材質もコンクリートに限定されることはなく、例えば、樹脂や石材等によって構成してもよい。また、上述した各実施形態および各変形例では、第１の係合部材２，２、第２の係合部材３，３、転倒防止部材７、および転倒防止部材５１、６２を鉄鋼製の材質で構成した場合について説明したが、鉄鋼製以外の材質で構成してもよい。例えば、第１の係合部材２，２および第２の係合部材３，３は、樹脂やコンクリートで構成してもよく、また、パネル本体１ａ〜１ｈ，１ｕ〜１ｘと一体に構成してもよい。
【０２５０】
また、上記の各実施形態および各変形例では、パネル本体１ａなどの側方、下方、もしくは上方に２個で一対の第１の係合部材２，２もしくは第２の係合部材３，３を設ける構成であったが、その個数は、２個に限らず、１個や３個以上であってもよい。例えば、パネル本体１ａの両側方にそれぞれ１個の第１の係合部材２ａ、パネル本体１ａの下方に１個の第２の係合部材３ａを設ける構成などにしてもよい。
【０２５１】
また、上述した各実施形態および各変形例では、パネル本体１ａ〜１ｈ，１ｕ〜１ｘの側方に設けられる第１の係合部材２ａ，２ａ、第２の係合部材３ｂ，３ｂは、パネル本体１ａの左方および右方にそれぞれ別個に別部品として設けられ、側端左方および側端右方にそれぞれ別個に突出する構成であった。しかし、これら第１の係合部材２ａ，２ａ、第２の係合部材３ｂ，３ｂは、その長さがパネル本体１ａ〜１ｈ，１ｕ〜１ｘの幅より長く、１本の部品でパネル本体１ａ〜１ｈ，１ｕ〜１ｘの側端左方および側端右方に突出する構成にしてもよい。
【０２５２】
また、上述した各実施形態、並びに、第１の実施形態の第４変形例（図２７、図２８参照）および第７変形例（図３２参照）を除く各変形例では、パネル本体１ａ〜１ｈ，１ｕ〜１ｘの背面にアンカーボルト４を突出させて設け、アンカーボルト４をアンカーとしてコンクリート１３を打設した場合について説明した。しかし、第１の実施形態の第７変形例のようにアンカーボルト４を設けること無く、パネル本体１ａ〜１ｈ，１ｕ〜１ｘの背面に凹凸を設けたり、背面の表面をざらつかせたり等してコンクリート付着性を高めるようにしてもよい。
【０２５３】
また、第１および第３の実施形態並びに第１の実施形態の第５および第６変形例で説明した転倒防止部材７，５１，６２(図３，図２０，図２９，図３１参照）や、第２の実施形態の第４変形例で説明した、第１の係合部材２ｂおよび第２の係合部材３ｂとパネル本体１ａ，１ｂとの間に設けた所定の間隔、調整治具３２および支点（図２５参照）は、他の実施形態および変形例にも同様に適用することが出来る。
【図１】
2014024269.tif 000003
【図２】
2014024269.tif 000004
【図３】
2014024269.tif 000005
【図４】
2014024269.tif 000006
【図５】
2014024269.tif 000007
【図６】
2014024269.tif 000008
【図７】
2014024269.tif 000009
【図８】
2014024269.tif 000010
【図９】
2014024269.tif 000011
【図１０】
2014024269.tif 000012
【図１１】
2014024269.tif 000013
【図１２】
2014024269.tif 000014
【図１３】
2014024269.tif 000015
【図１４】
2014024269.tif 000016
【図１５】
2014024269.tif 000017
【図１６】
2014024269.tif 000018
【図１７】
2014024269.tif 000019
【図１８】
2014024269.tif 000020
【図１９】
2014024269.tif 000021
【図２０】
2014024269.tif 000022
【図２１】
2014024269.tif 000023
【図２２】
2014024269.tif 000024
【図２３】
2014024269.tif 000025
【図２４】
2014024269.tif 000026
【図２５】
2014024269.tif 000027
【図２６】
2014024269.tif 000028
【図２７】
2014024269.tif 000029
【図２８】
2014024269.tif 000030
【図２９】
2014024269.tif 000031
【図３０】
2014024269.tif 000032
【図３１】
2014024269.tif 000033
【図３２】
2014024269.tif 000034
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
上端の高さを交互に異ならせ複数横方向に並べられた各パネル本体のうちの上端が低い各前記パネル本体に次段のパネル本体を側端を揃えて積み上げ、積み上げた前記次段のパネル本体の上端を側方の前記パネル本体の上端よりも高くすることで、前記パネル本体を所定の高さまで積み上げて壁面を構築する壁面構築方法において、
各前記パネル本体は、上方または側方に突出した端部が上方または側方に積み上げられる前記パネル本体の一面に当接して積み上げられる前記パネル本体の一面側へ倒れる力を支える第１の係合部材と、下方または側方に突出した端部が既に積まれた下方または側方の前記パネル本体の一面に当接して下端が他面側へ迫り出すのを抑える第２の係合部材とを備え、積み上げられる際に、前記第１の係合部材と前記第２の係合部材とによって下方の前記パネル本体と側端が揃えられて上端が低い前記パネル本体上に載置され、転倒防止部材によって他面側へ倒れるのが防止されることを特徴とする壁面構築方法。
【請求項２】
上端の高さを交互に異ならせ複数横方向に並べられた各パネル本体のうちの上端が低い各前記パネル本体に次段のパネル本体を側端を揃えて積み上げ、積み上げた前記次段のパネル本体の上端を側方の前記パネル本体の上端よりも高くすることで、前記パネル本体を所定の高さまで積み上げて壁面を構築する壁面構築方法において、
各前記パネル本体は、側方に突出した端部が側方に積み上げられる前記パネル本体の一面に当接して積み上げられる前記パネル本体の一面側へ倒れる力を支える係合部材を備え、既に積まれた下方の前記パネル本体の上端と係合して下端が他面側へ迫り出すのを抑える係合部が下端または上端に設けられ、積み上げられる際に、前記係合部材と前記係合部とによって下方の前記パネル本体と側端が揃えられて上端が低い前記パネル本体上に載置され、転倒防止部材によって他面側へ倒れるのが防止されることを特徴とする壁面構築方法。
【請求項３】
複数のパネル本体が横方向において上端の高さが交互に異なって並べられ、縦方向において側端が揃えられて所定高さに積み上げられて構成されている壁面構造において、
各前記パネル本体は、上方または側方に突出した端部が上方または側方の前記パネル本体の一面に当接して上方または側方の前記パネル本体の一面側へ倒れる力を支える第１の係合部材と、下方または側方に突出した端部が下方または側方の前記パネル本体の一面に当接して下端が他面側へ迫り出すのを抑える第２の係合部材とを備え、前記第１の係合部材と前記第２の係合部材とによって下方の前記パネル本体と側端が揃えられて上端が低い前記パネル本体上に載置され、転倒防止部材によって他面側へ倒れるのが防止されていることを特徴とする壁面構造。
【請求項４】
複数のパネル本体が横方向において上端の高さが交互に異なって並べられ、縦方向において側端が揃えられて所定高さに積み上げられて構成されている壁面構造において、
各前記パネル本体は、側方に突出した端部が側方の前記パネル本体の一面に当接して側方の前記パネル本体の一面側へ倒れる力を支える係合部材を備え、下方の前記パネル本体の上端と係合して下端が他面側へ迫り出すのを抑える係合部が下端または上端に設けられ、前記係合部材と前記係合部とによって下方の前記パネル本体と側端が揃えられて上端が低い前記パネル本体上に載置され、転倒防止部材によって他面側へ倒れるのが防止されていることを特徴とする壁面構造。
【請求項５】
側方に突出した前記端部を有する前記係合部材は、着脱自在にまたは前記端部が回動自在に前記パネル本体に取り付けられていることを特徴とする請求項３もしくは請求項４に記載の壁面構造。
【請求項６】
前記係合部材は、当接する前記パネル本体と所定の間隔があくように前記端部が設けられていることを特徴とする請求項３から請求項５のいずれか１項に記載の壁面構造。
【請求項７】
前記係合部材は、前記パネル本体に取り付けられる取付面と取り付けられる前記パネル本体との間に前記所定の間隔を調整する調整材が介挿されて、前記パネル本体に着脱自在に取り付けられていることを特徴とする請求項６に記載の壁面構造。
【請求項８】
前記係合部材は、当接する前記パネル本体側に出し入れ自在な調整治具を介して前記端部が前記パネル本体に当接していることを特徴とする請求項６または請求項７に記載の壁面構造。
【請求項９】
前記係合部材は、前記端部と前記パネル本体との間に支持治具が挿し込まれてまたは挟み込まれて前記端部が前記パネル本体に当接していることを特徴とする請求項６または請求項７に記載の壁面構造。
【請求項１０】
前記係合部材は、前記パネル本体との取付箇所よりも前記端部の反対側に離れた一端に、前記パネル本体の一面に当接する支点が設けられていることを特徴とする請求項６から請求項９のいずれか１項に記載の壁面構造。
【手続補正２】
【補正対象書類名】明細書
【補正対象項目名】０００３
【補正方法】変更
【補正の内容】
【０００３】
積まれた下方または側方のパネル本体の一面に当接して下端が他面側へ迫り出すのを抑える第２の係合部材とを備え、積み上げられる際に、第１の係合部材と第２の係合部材とによって下方のパネル本体と側端が揃えられて上端が低いパネル本体上に載置され、転倒防止部材によって他面側へ倒れるのが防止されることを特徴とする。
［０００９］
また、本発明は、
複数のパネル本体が横方向において上端の高さが交互に異なって並べられ、縦方向において側端が揃えられて所定高さに積み上げられて構成されている壁面構造において、
各パネル本体が、上方または側方に突出した端部が上方または側方のパネル本体の一面に当接して上方または側方のパネル本体の一面側へ倒れる力を支える第１の係合部材と、下方または側方に突出した端部が下方または側方のパネル本体の一面に当接して下端が他面側へ迫り出すのを抑える第２の係合部材とを備え、第１の係合部材と第２の係合部材とによって下方のパネル本体と側端が揃えられて上端が低いパネル本体上に載置され、転倒防止部材によって他面側へ倒れるのが防止されていることを特徴とする。
［００１０］
これらの構成によれば、各パネル本体は、上端が低いパネル本体に側端を揃えて積み上げられる際、下方または側方に隣接するパネル本体に備えられた第１の係合部材の上方または側方に突出した端部にパネル本体の一面が当接して、パネル本体の一面側へ倒れる力が支えられると共に、自身に備えられた第２の係合部材の下方または側方に突出した端部が下方または側方に隣接するパネル本体の一面に当接して、パネル本体の下端が他面側へ迫り出すのが抑えられて、上端が低いパネル本体上に載置される。
［００１１］
従って、次段のパネル本体を側端を揃えて上端が低い下方のパネル本体上に単に載置することで、パネル本体を垂直にまたは一面側に傾斜させて積み上げることが可能となる。このため、従来行われた、隣接する各パネルをボルトおよびナットで締結させる多大な手間の掛かる作業を行うこと無く、パネル本体を積み上げられるため、壁面の構築作業の作業効率は著しく向上す
【手続補正３】
【補正対象書類名】明細書
【補正対象項目名】０００４
【補正方法】変更
【補正の内容】
【０００４】
る。また、上端が低い下方のパネル本体上に側端が揃えられて載置される次段のパネル本体は、転倒防止部材によって他面側へ倒れるのが防止される。このため、パネルを垂直に積み上げる場合や、パネルの自重が軽くてパネルの傾きを保てない場合であっても、パネル本体が他面側へ倒れることなくパネル本体を積み上げられる。また、より多くのパネル本体を確実かつ安全に複数段一度に積み上げられる。この結果、パネル本体の積み上げ作業の作業効率および積み上げ作業における安全性は向上する。
［００１２］
また、各パネル本体はボルト等で剛結されて一体化される構成ではないため、補強土工法等のフレキシブルな構造体の壁面に使用される場合、パネル本体の背後にある盛土等が沈下したり変形しても、パネル本体はその沈下や変形に追従して動くことが可能である。従って、パネルどうしをボルト等で剛結させて一体化する従来の壁面のように、パネルの背後にある盛土等が沈下したり変形することで、壁面を構成する一部のパネルに大きな荷重が局所的にかかり、パネルが破損することもない。このため、フレキシブルで耐久性が増した壁面を構築できる壁面構築方法および壁面構造が提供される。
［００１３］
また、本発明は、
上端の高さを交互に異ならせ複数横方向に並べられた各パネル本体のうちの上端が低い各パネル本体に次段のパネル本体を側端を揃えて積み上げ、積み上げた次段のパネル本体の上端を側方のパネル本体の上端よりも高くすることで、パネル本体を所定の高さまで積み上げて壁面を構築する壁面構築方法において、
各パネル本体が、側方に突出した端部が側方に積み上げられるパネル本体の一面に当接して積み上げられるパネル本体の一面側へ倒れる力を支える係合部材を備え、既に積まれた下方のパネル本体の上端と係合して下端が他面側へ迫り出すのを抑える係合部が下端または上端に設けられ、積み上げられる際に、係合部材と係合部とによって下方のパネル本体と側端が揃えられて上端が低いパネル本体上に載置され、転倒防止部材によって他面側へ倒れるのが防止されることを特徴とする。
【手続補正４】
【補正対象書類名】明細書
【補正対象項目名】０００５
【補正方法】変更
【補正の内容】
【０００５】
［００１４］
また、本発明は、
複数のパネル本体が横方向において上端の高さが交互に異なって並べられ、縦方向において側端が揃えられて所定高さに積み上げられて構成されている壁面構造において、
各パネル本体が、側方に突出した端部が側方のパネル本体の一面に当接して側方のパネル本体の一面側へ倒れる力を支える係合部材を備え、下方のパネル本体の上端と係合して下端が他面側へ迫り出すのを抑える係合部が下端または上端に設けられ、係合部材と係合部とによって下方のパネル本体と側端が揃えられて上端が低いパネル本体上に載置され、転倒防止部材によって他面側へ倒れるのが防止されていることを特徴とする。
［００１５］
これらの構成によれば、各パネル本体は、上端が低いパネル本体に側端を揃えて積み上げられる際、側方に隣接するパネル本体に備えられた係合部材の側方に突出した端部にパネル本体の一面が当接して、パネル本体の一面側へ倒れる力が支えられると共に、自身の下端に設けられた係合部または下方のパネル本体の上端に設けられた係合部によって下方のパネル本体の上端と係合して、パネル本体の下端が他面側へ迫り出すのが抑えられて、上端が低いパネル本体上に載置される。
［００１６］
従って、これらの構成によっても、次段のパネル本体を側端を揃えて上端が低い下方のパネル本体上に単に載置することで、パネル本体を垂直にまたは一面側に傾斜させて積み上げることが可能となり、従来行われた、隣接する各パネルをボルトおよびナットで締結させる多大な手間の掛かる作業を行う必要がなくなって、壁面の構築作業の作業効率は著しく向上する。また、これらの構成においても、上端が低い下方のパネル本体上に側端が揃えられて載置される次段のパネル本体は、転倒防止部材によって他面側へ倒れるのが防止される。このため、パネルを垂直に積み上げる場合や、パネルの自重が軽くてパネルの傾きを保てない場合であっても、パネル本体が他面側へ倒れることなくパネル本体を積み上げられる。また、より多くのパネル本体を確実かつ安全に複数段一度に積み上げられる。この結果、これらの構成によっても、パネル本体の積み上げ作業の作業効率および積み上げ作業における安全性は向上する。
［００１７］
また、これらの構成においても、各パネル本体はボルト等で剛結されて一体化される構成ではない。このため、これらの構成によっても、補強土工法等のフレキシブルな構造体の壁面に使用される場合、パネル本体は盛土等の沈下や変形に追従して動くことが可能であり、フレキシブルで耐久性が増した壁面を構築できる壁面構築方法および壁面構造が提供される。
［００１８］
また、本発明は、側方に突出した端部を有する係合部材が、着脱自在にまたは端部が回動自在にパネル本体に取り付けられていることを特徴とする。
［００１９］
この構成によれば、次段のパネル本体を上端が低い下方のパネル本体とパネル面を平行にして積む場合、次段のパネル本体に側方に突出して備えられた係合部材をパネル本体から取り外す、もしくは、その端部を回動して側方から突出させないことで、次段のパネル本体に備えられた係合部材が、次段のパネル本体の設置位置側方に既に載置されているパネル本体の側方から突出する係合部材と干渉すること無く、次段のパネル本体を側端を揃えて上端が低い下方のパネル本体上に載置することができる。または、次段のパネル本体の設置位置側方に既に載置されているパネル本体の側方から突出する係
【手続補正５】
【補正対象書類名】明細書
【補正対象項目名】０００８
【補正方法】変更
【補正の内容】
【０００８】
付箇所を挟む反対側でパネル本体の一面に当接することにより、この負荷がパネル本体の一面に当接する支点でも受けられる。このため、係合部材の端部側にかかる負荷は、係合部材の取付箇所と係合部材の一端に設けられた支点とで支えられ、取付箇所のみで係合部材が固定されている場合に比べて、係合部材はぐらつくことなく確実にパネル本体に固定される。
［００３０］
［００３１］
発明の効果
［００３２］
本発明によれば、上記のように、次段のパネル本体を側端を揃えて上端が低い下方のパネル本体上に単に載置することで、パネル本体を垂直にまたは一面側に傾斜させて積み上げることが可能となり、従来行われた、隣接する各パネルをボルトおよびナットで締結させる多大な手間の掛かる作業を行う必要がなくなって、壁面の構築作業の作業効率は著しく向上する。また、パネルを垂直に積み上げる場合や、パネルの自重が軽くてパネルの傾きを保てない場合であっても、パネル本体が他面側へ倒れることなくパネル本体を積み上げられ、また、より多くのパネル本体を確実かつ安全に複数段一度に積み上げられるので、パネル本体の積み上げ作業の作業効率および積み上げ作業における安全性は向上する。また、各パネル本体はボルト等で剛結されて一体化される構成ではないため、柔軟性が必要とされる補強土工法等の壁面に使用する場合、パネル本体は盛土等の沈下や変形に追従して動くことが可能であり、フレキシブルで耐久性が増した壁面を構築できる壁面構築方法および壁面構造が提供される。
図面の簡単な説明
［００３３］
［図１］（ａ）、（ｂ）、（ｃ）および（ｄ）は、本発明の第１の実施の形態による壁面構築方法によって構築される壁面構造を構成するパネルの正面図、側面図、背面図および平面図である。
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
上端の高さを交互に異ならせ複数横方向に並べられた各パネル本体のうちの上端が低い各前記パネル本体に次段のパネル本体を側端を揃えて積み上げ、積み上げた前記次段のパネル本体の上端を側方の前記パネル本体の上端よりも高くすることで、前記パネル本体を所定の高さまで積み上げて壁面を構築する壁面構築方法において、
各前記パネル本体は、側方に突出した端部が側方に積み上げられる前記パネル本体の一面に当接して積み上げられる前記パネル本体の一面側へ倒れる力を支える第１の係合部材と、下方または側方に突出した端部が既に積まれた下方または側方の前記パネル本体の一面に当接して下端が他面側へ迫り出すのを抑える第２の係合部材とを備え、積み上げられる際に、下方の前記パネル本体と側端が揃えられて上端が低い前記パネル本体上に載置され、上端が低い前記パネル本体の側方に積み上げられた上端が高い前記パネル本体の側方に突出した前記第１の係合部材が、上端が低い前記パネル本体上に載置された前記パネル本体の一面に当接することにより、上端が低い前記パネル本体上に載置された前記パネル本体の一面側へ倒れる力が支えられ、上端が低い前記パネル本体上に載置された前記パネル本体の下方または側方に突出した前記第２の係合部材が、上端が低い前記パネル本体の一面、または上端が低い前記パネル本体の側方に積み上げられた上端が高い前記パネル本体の一面に当接することにより、上端が低い前記パネル本体上に載置された前記パネル本体の下端が他面側へ迫り出すのが抑えられ、転倒防止部材によって他面側へ倒れるのが防止されることを特徴とする壁面構築方法。
【請求項２】
上端の高さを交互に異ならせ複数横方向に並べられた各パネル本体のうちの上端が低い各前記パネル本体に次段のパネル本体を側端を揃えて積み上げ、積み上げた前記次段のパネル本体の上端を側方の前記パネル本体の上端よりも高くすることで、前記パネル本体を所定の高さまで積み上げて壁面を構築する壁面構築方法において、
各前記パネル本体は、上方に突出した端部が上方に積み上げられる前記パネル本体の一面に当接して積み上げられる前記パネル本体の一面側へ倒れる力を支える第１の係合部材と、側方に突出した端部が既に積まれた側方の前記パネル本体の一面に当接して下端が他面側へ迫り出すのを抑える第２の係合部材とを備え、積み上げられる際に、下方の前記パネル本体と側端が揃えられて上端が低い前記パネル本体上に載置され、上端が低い前記パネル本体の上方に突出した前記第１の係合部材が、上端が低い前記パネル本体上に載置された前記パネル本体の一面に当接することにより、上端が低い前記パネル本体上に載置された前記パネル本体の一面側へ倒れる力が支えられ、上端が低い前記パネル本体上に載置された前記パネル本体の側方に突出した前記第２の係合部材が、上端が低い前記パネル本体の側方に積み上げられた上端が高い前記パネル本体の一面に当接することにより、上端が低い前記パネル本体上に載置された前記パネル本体の下端が他面側へ迫り出すのが抑えられ、転倒防止部材によって他面側へ倒れるのが防止されることを特徴とする壁面構築方法。
【請求項３】
上端の高さを交互に異ならせ複数横方向に並べられた各パネル本体のうちの上端が低い各前記パネル本体に次段のパネル本体を側端を揃えて積み上げ、積み上げた前記次段のパネル本体の上端を側方の前記パネル本体の上端よりも高くすることで、前記パネル本体を所定の高さまで積み上げて壁面を構築する壁面構築方法において、
各前記パネル本体は、側方に突出した端部が側方に積み上げられる前記パネル本体の一面に当接して積み上げられる前記パネル本体の一面側へ倒れる力を支える係合部材を備え、既に積まれた下方の前記パネル本体の上端と係合して下端が他面側へ迫り出すのを抑える係合部が下端または上端に設けられ、積み上げられる際に、下方の前記パネル本体と側端が揃えられて上端が低い前記パネル本体上に載置され、上端が低い前記パネル本体の側方に積み上げられた上端が高い前記パネル本体の側方に突出した前記係合部材が、上端が低い前記パネル本体上に載置された前記パネル本体の一面に当接することにより、上端が低い前記パネル本体上に載置された前記パネル本体の一面側へ倒れる力が支えられ、上端が低い前記パネル本体上に載置された前記パネル本体の下端、または上端が低い前記パネル本体の上端に設けられた前記係合部が、上端が低い前記パネル本体の上端、または上端が低い前記パネル本体上に載置された前記パネル本体の下端と係合することにより、上端が低い前記パネル本体上に載置された前記パネル本体の下端が他面側へ迫り出すのが抑えられ、転倒防止部材によって他面側へ倒れるのが防止されることを特徴とする壁面構築方法。
【請求項４】
複数のパネル本体が横方向において上端の高さが交互に異なって並べられ、縦方向において側端が揃えられて所定高さに積み上げられて構成されている壁面構造において、
各前記パネル本体は、側方に突出した端部が側方の前記パネル本体の一面に当接して側方の前記パネル本体の一面側へ倒れる力を支える第１の係合部材と、下方または側方に突出した端部が下方または側方の前記パネル本体の一面に当接して下端が他面側へ迫り出すのを抑える第２の係合部材とを備え、下方の前記パネル本体と側端が揃えられて上端が低い前記パネル本体上に載置され、上端が低い前記パネル本体の側方に積み上げられた上端が高い前記パネル本体の側方に突出した前記第１の係合部材が、上端が低い前記パネル本体上に載置された前記パネル本体の一面に当接することにより、上端が低い前記パネル本体上に載置された前記パネル本体の一面側へ倒れる力が支えられ、上端が低い前記パネル本体上に載置された前記パネル本体の下方または側方に突出した前記第２の係合部材が、上端が低い前記パネル本体の一面、または上端が低い前記パネル本体の側方に積み上げられた上端が高い前記パネル本体の一面に当接することにより、上端が低い前記パネル本体上に載置された前記パネル本体の下端が他面側へ迫り出すのが抑えられ、転倒防止部材によって他面側へ倒れるのが防止されていることを特徴とする壁面構造。
【請求項５】
複数のパネル本体が横方向において上端の高さが交互に異なって並べられ、縦方向において側端が揃えられて所定高さに積み上げられて構成されている壁面構造において、
各前記パネル本体は、上方に突出した端部が上方の前記パネル本体の一面に当接して上方の前記パネル本体の一面側へ倒れる力を支える第１の係合部材と、側方に突出した端部が側方の前記パネル本体の一面に当接して下端が他面側へ迫り出すのを抑える第２の係合部材とを備え、下方の前記パネル本体と側端が揃えられて上端が低い前記パネル本体上に載置され、上端が低い前記パネル本体の上方に突出した前記第１の係合部材が、上端が低い前記パネル本体上に載置された前記パネル本体の一面に当接することにより、上端が低い前記パネル本体上に載置された前記パネル本体の一面側へ倒れる力が支えられ、上端が低い前記パネル本体上に載置された前記パネル本体の側方に突出した前記第２の係合部材が、上端が低い前記パネル本体の側方に積み上げられた上端が高い前記パネル本体の一面に当接することにより、上端が低い前記パネル本体上に載置された前記パネル本体の下端が他面側へ迫り出すのが抑えられ、転倒防止部材によって他面側へ倒れるのが防止されていることを特徴とする壁面構造。
【請求項６】
複数のパネル本体が横方向において上端の高さが交互に異なって並べられ、縦方向において側端が揃えられて所定高さに積み上げられて構成されている壁面構造において、
各前記パネル本体は、側方に突出した端部が側方の前記パネル本体の一面に当接して側方の前記パネル本体の一面側へ倒れる力を支える係合部材を備え、下方の前記パネル本体の上端と係合して下端が他面側へ迫り出すのを抑える係合部が下端または上端に設けられ、下方の前記パネル本体と側端が揃えられて上端が低い前記パネル本体上に載置され、上端が低い前記パネル本体の側方に積み上げられた上端が高い前記パネル本体の側方に突出した前記係合部材が、上端が低い前記パネル本体上に載置された前記パネル本体の一面に当接することにより、上端が低い前記パネル本体上に載置された前記パネル本体の一面側へ倒れる力が支えられ、上端が低い前記パネル本体上に載置された前記パネル本体の下端、または上端が低い前記パネル本体の上端に設けられた前記係合部が、上端が低い前記パネル本体の上端、または上端が低い前記パネル本体上に載置された前記パネル本体の下端と係合することにより、上端が低い前記パネル本体上に載置された前記パネル本体の下端が他面側へ迫り出すのが抑えられ、転倒防止部材によって他面側へ倒れるのが防止されていることを特徴とする壁面構造。
【請求項７】
側方に突出した前記端部を有する前記係合部材は、着脱自在にまたは前記端部が回動自在に前記パネル本体に取り付けられていることを特徴とする請求項４から請求項６のいずれか１項に記載の壁面構造。
【請求項８】
前記係合部材は、当接する前記パネル本体と所定の間隔があくように前記端部が設けられていることを特徴とする請求項４から請求項７のいずれか１項に記載の壁面構造。
【請求項９】
前記係合部材は、前記パネル本体に取り付けられる取付面と取り付けられる前記パネル本体との間に前記所定の間隔を調整する調整材が介挿されて、前記パネル本体に着脱自在に取り付けられていることを特徴とする請求項８に記載の壁面構造。
【請求項１０】
前記係合部材は、当接する前記パネル本体側に出し入れ自在な調整治具を介して前記端部が前記パネル本体に当接していることを特徴とする請求項８または請求項９に記載の壁面構造。
【請求項１１】
前記係合部材は、前記端部と前記パネル本体との間に支持治具が挿し込まれてまたは挟み込まれて前記端部が前記パネル本体に当接していることを特徴とする請求項８または請求項９に記載の壁面構造。
【請求項１２】
前記係合部材は、前記パネル本体との取付箇所よりも前記端部の反対側に離れた一端に、前記パネル本体の一面に当接する支点が設けられていることを特徴とする請求項８から請求項１１のいずれか１項に記載の壁面構造。
【手続補正２】
【補正対象書類名】明細書
【補正対象項目名】０００８
【補正方法】変更
【補正の内容】
【０００８】
本発明はこのような課題を解決するためになされたもので、
上端の高さを交互に異ならせ複数横方向に並べられた各パネル本体のうちの上端が低い各パネル本体に次段のパネル本体を側端を揃えて積み上げ、積み上げた次段のパネル本体の上端を側方のパネル本体の上端よりも高くすることで、パネル本体を所定の高さまで積み上げて壁面を構築する壁面構築方法において、
各パネル本体が、側方に突出した端部が側方に積み上げられるパネル本体の一面に当接して積み上げられるパネル本体の一面側へ倒れる力を支える第１の係合部材と、下方または側方に突出した端部が既に積まれた下方または側方のパネル本体の一面に当接して下端が他面側へ迫り出すのを抑える第２の係合部材とを備え、積み上げられる際に、下方のパネル本体と側端が揃えられて上端が低いパネル本体上に載置され、上端が低いパネル本体の側方に積み上げられた上端が高いパネル本体の側方に突出した第１の係合部材が、上端が低いパネル本体上に載置されたパネル本体の一面に当接することにより、上端が低いパネル本体上に載置されたパネル本体の一面側へ倒れる力が支えられ、上端が低いパネル本体上に載置されたパネル本体の下方または側方に突出した第２の係合部材が、上端が低いパネル本体の一面、または上端が低いパネル本体の側方に積み上げられた上端が高いパネル本体の一面に当接することにより、上端が低いパネル本体上に載置されたパネル本体の下端が他面側へ迫り出すのが抑えられ、転倒防止部材によって他面側へ倒れるのが防止されることを特徴とする。
また、上端の高さを交互に異ならせ複数横方向に並べられた各パネル本体のうちの上端が低い各パネル本体に次段のパネル本体を側端を揃えて積み上げ、積み上げた次段のパネル本体の上端を側方のパネル本体の上端よりも高くすることで、パネル本体を所定の高さまで積み上げて壁面を構築する壁面構築方法において、
各パネル本体が、上方に突出した端部が上方に積み上げられるパネル本体の一面に当接して積み上げられるパネル本体の一面側へ倒れる力を支える第１の係合部材と、側方に突出した端部が既に積まれた側方のパネル本体の一面に当接して下端が他面側へ迫り出すのを抑える第２の係合部材とを備え、積み上げられる際に、下方のパネル本体と側端が揃えられて上端が低いパネル本体上に載置され、上端が低いパネル本体の上方に突出した第１の係合部材が、上端が低いパネル本体上に載置されたパネル本体の一面に当接することにより、上端が低いパネル本体上に載置されたパネル本体の一面側へ倒れる力が支えられ、上端が低いパネル本体上に載置されたパネル本体の側方に突出した第２の係合部材が、上端が低いパネル本体の側方に積み上げられた上端が高いパネル本体の一面に当接することにより、上端が低いパネル本体上に載置されたパネル本体の下端が他面側へ迫り出すのが抑えられ、転倒防止部材によって他面側へ倒れるのが防止されることを特徴とする。
【手続補正３】
【補正対象書類名】明細書
【補正対象項目名】０００９
【補正方法】変更
【補正の内容】
【０００９】
また、本発明は、
複数のパネル本体が横方向において上端の高さが交互に異なって並べられ、縦方向において側端が揃えられて所定高さに積み上げられて構成されている壁面構造において、
各パネル本体が、側方に突出した端部が側方のパネル本体の一面に当接して側方のパネル本体の一面側へ倒れる力を支える第１の係合部材と、下方または側方に突出した端部が下方または側方のパネル本体の一面に当接して下端が他面側へ迫り出すのを抑える第２の係合部材とを備え、下方のパネル本体と側端が揃えられて上端が低いパネル本体上に載置され、上端が低いパネル本体の側方に積み上げられた上端が高いパネル本体の側方に突出した第１の係合部材が、上端が低いパネル本体上に載置されたパネル本体の一面に当接することにより、上端が低いパネル本体上に載置されたパネル本体の一面側へ倒れる力が支えられ、上端が低いパネル本体上に載置されたパネル本体の下方または側方に突出した第２の係合部材が、上端が低いパネル本体の一面、または上端が低いパネル本体の側方に積み上げられた上端が高いパネル本体の一面に当接することにより、上端が低いパネル本体上に載置されたパネル本体の下端が他面側へ迫り出すのが抑えられ、転倒防止部材によって他面側へ倒れるのが防止されていることを特徴とする。
また、複数のパネル本体が横方向において上端の高さが交互に異なって並べられ、縦方向において側端が揃えられて所定高さに積み上げられて構成されている壁面構造において、
各パネル本体が、上方に突出した端部が上方のパネル本体の一面に当接して上方のパネル本体の一面側へ倒れる力を支える第１の係合部材と、側方に突出した端部が側方のパネル本体の一面に当接して下端が他面側へ迫り出すのを抑える第２の係合部材とを備え、下方のパネル本体と側端が揃えられて上端が低いパネル本体上に載置され、上端が低いパネル本体の上方に突出した第１の係合部材が、上端が低いパネル本体上に載置されたパネル本体の一面に当接することにより、上端が低いパネル本体上に載置されたパネル本体の一面側へ倒れる力が支えられ、上端が低いパネル本体上に載置されたパネル本体の側方に突出した第２の係合部材が、上端が低いパネル本体の側方に積み上げられた上端が高いパネル本体の一面に当接することにより、上端が低いパネル本体上に載置されたパネル本体の下端が他面側へ迫り出すのが抑えられ、転倒防止部材によって他面側へ倒れるのが防止されていることを特徴とする。
【手続補正４】
【補正対象書類名】明細書
【補正対象項目名】００１０
【補正方法】変更
【補正の内容】
【００１０】
これらの構成によれば、各パネル本体は、上端が低いパネル本体に側端を揃えて積み上げられる際、側方に隣接するパネル本体に備えられた第１の係合部材の側方に突出した端部にパネル本体の一面が当接して、パネル本体の一面側へ倒れる力が支えられると共に、自身に備えられた第２の係合部材の下方または側方に突出した端部が下方または側方に隣接するパネル本体の一面に当接して、パネル本体の下端が他面側へ迫り出すのが抑えられて、上端が低いパネル本体上に載置される。
または、各パネル本体は、上端が低いパネル本体に側端を揃えて積み上げられる際、下方に隣接するパネル本体に備えられた第１の係合部材の上方に突出した端部にパネル本体の一面が当接して、パネル本体の一面側へ倒れる力が支えられると共に、自身に備えられた第２の係合部材の側方に突出した端部が側方に隣接するパネル本体の一面に当接して、パネル本体の下端が他面側へ迫り出すのが抑えられて、上端が低いパネル本体上に載置される。
【手続補正５】
【補正対象書類名】明細書
【補正対象項目名】００１３
【補正方法】変更
【補正の内容】
【００１３】
また、本発明は、
上端の高さを交互に異ならせ複数横方向に並べられた各パネル本体のうちの上端が低い各パネル本体に次段のパネル本体を側端を揃えて積み上げ、積み上げた次段のパネル本体の上端を側方のパネル本体の上端よりも高くすることで、パネル本体を所定の高さまで積み上げて壁面を構築する壁面構築方法において、
各パネル本体が、側方に突出した端部が側方に積み上げられるパネル本体の一面に当接して積み上げられるパネル本体の一面側へ倒れる力を支える係合部材を備え、既に積まれた下方のパネル本体の上端と係合して下端が他面側へ迫り出すのを抑える係合部が下端または上端に設けられ、積み上げられる際に、下方のパネル本体と側端が揃えられて上端が低いパネル本体上に載置され、上端が低いパネル本体の側方に積み上げられた上端が高いパネル本体の側方に突出した係合部材が、上端が低いパネル本体上に載置されたパネル本体の一面に当接することにより、上端が低いパネル本体上に載置されたパネル本体の一面側へ倒れる力が支えられ、上端が低いパネル本体上に載置されたパネル本体の下端、または上端が低いパネル本体の上端に設けられた係合部が、上端が低いパネル本体の上端、または上端が低いパネル本体上に載置されたパネル本体の下端と係合することにより、上端が低いパネル本体上に載置されたパネル本体の下端が他面側へ迫り出すのが抑えられ、転倒防止部材によって他面側へ倒れるのが防止されることを特徴とする。
【手続補正６】
【補正対象書類名】明細書
【補正対象項目名】００１４
【補正方法】変更
【補正の内容】
【００１４】
また、本発明は、
複数のパネル本体が横方向において上端の高さが交互に異なって並べられ、縦方向において側端が揃えられて所定高さに積み上げられて構成されている壁面構造において、
各パネル本体が、側方に突出した端部が側方のパネル本体の一面に当接して側方のパネル本体の一面側へ倒れる力を支える係合部材を備え、下方のパネル本体の上端と係合して下端が他面側へ迫り出すのを抑える係合部が下端または上端に設けられ、下方のパネル本体と側端が揃えられて上端が低いパネル本体上に載置され、上端が低いパネル本体の側方に積み上げられた上端が高いパネル本体の側方に突出した係合部材が、上端が低いパネル本体上に載置されたパネル本体の一面に当接することにより、上端が低いパネル本体上に載置されたパネル本体の一面側へ倒れる力が支えられ、上端が低いパネル本体上に載置されたパネル本体の下端、または上端が低いパネル本体の上端に設けられた係合部が、上端が低いパネル本体の上端、または上端が低いパネル本体上に載置されたパネル本体の下端と係合することにより、上端が低いパネル本体上に載置されたパネル本体の下端が他面側へ迫り出すのが抑えられ、転倒防止部材によって他面側へ倒れるのが防止されていることを特徴とする。
【国際調査報告】
2014024269.tif 000035
2014024269.tif 000036